(57)【要約】  遠隔通信システム（ＴＫＳ１，ＴＫＳ２，ＴＫＳ３）における「スマートホーム」シナリオを、データソース（ＭＴ，ＭＴ１，ＭＴ２，ＭＴ３，ＢＳ，Ｉ−ＤＱＳ１，Ｉ−ＤＱＳ２）とデータシンク（ＭＴ，ＭＴ１，ＭＴ２，ＭＴ３，Ｅ−ＤＱＳ，Ｉ−ＤＱＳ１，Ｉ−ＤＱＳ２）の間のテキストデータ、オーディオデータ、ビデオデータおよび／または制御データ（ＴＡＶＳ）の伝送に関して、ユーザフレンドリーにおよび操作快適性を伴って実行することを可能にするために、有利にはコードレス電話送受話器としてまたは移動電話機として構成されている、遠隔通信システム（ＴＫＳ１，ＴＫＳ２，ＴＫＳ３）の移動局（ＭＴ，ＭＴ３，ＴＫＨＡ）は制御コマンド（ＳＴＫ）を形成する。遠隔通信システムは回線交換型ネットワークおよび／またはパケット交換型ネットワーク（ＬＶＮ，ＰＶＮ）に接続された、電話通話の案内およびテキストデータ、オーディオデータ、ビデオデータおよび／または制御データ（ＴＡＶＳ）の送信／受信を行う基地局（ＢＳ）と、電話通話の案内および／またはテキストデータ、オーディオデータ、ビデオデータおよび／または制御データ（ＴＡＶＳ）の送信／受信を行う少なくとも１つの移動局（ＭＴ，ＭＴ１，ＭＴ２，ＭＴ３，ＳＴＢ，ＭＢ，ＭＢＫ，ＴＨＡ）とから構成されており、これらはエアインタフェース（ＬＳＳ）を介して相互に接続されている。移動局はさらに、メッセージトラフィックの列内で、無線コミュニケーションないし遠隔通信に参加している機器間で制御コマンドを、エアインタフェース（ＬＳＳ）を介して所期のように送出する。ここでこの制御コマンド（ＳＴＫ）によって、データソース（ＭＴ，ＭＴ１，ＭＴ２，ＭＴ３，ＢＳ，Ｉ−ＤＱＳ１，Ｉ−ＤＱＳ２）内に格納されているテキストデータ、オーディオデータ、ビデオデータおよび／または制御データ（ＴＡＶＳ）が呼び出され、データシンク（ＭＴ，ＭＴ１，ＭＴ２，ＭＴ３，Ｅ−ＤＱＳ，Ｉ−ＤＱＳ１，Ｉ−ＤＱＳ２）へのその出力、転送または移動ないしデータソース（ＭＴ，ＭＴ１，ＭＴ２，ＭＴ３，ＢＳ，Ｉ−ＤＱＳ１，Ｉ−ＤＱＳ２）へのその出力がトリガされるおよび行われる。
2007527133.tif 000002
【特許請求の範囲】
【請求項１】
「スマートホーム」環境における無線コミュニケーションおよび遠隔通信のための方法であって、以下の特徴を有しており、すなわち：
ａ）電話通話を案内するためおよびテキストデータ、オーディオデータ、ビデオデータおよび／または制御データ（ＴＡＶＳ）を送信／受信するため、基地局（ＢＳ）を、回線交換型ネットワークおよび／またはパケット交換型ネットワークで、当該ネットワークに対応する、テキストデータ、オーディオデータ、ビデオデータおよび／または制御データ（ＴＡＶＳ）用の外部データソース／データシンク（Ｅ−ＤＱＳ）と接続させ、電話通話を案内するためおよび／または少なくとも１つのエアインタフェース（ＬＳＳ）または少なくとも１つのエアインターフェース（ＬＳＳ）と回線インタフェース（ＬＴＳＳ）を介してテキストデータ、オーディオデータ、ビデオデータおよび／または制御データ（ＴＡＶＳ）を送信／受信するため、少なくとも１つの移動局（ＭＴ，ＭＴ１，ＭＴ２，ＭＴ３，ＳＴＢ，ＭＢ，ＭＢＫ，ＴＫＨＡ）を前記基地局（ＢＳ）に対応付け、
ａ１）少なくとも１つの第１の移動局（ＭＴ，ＭＴ１，ＭＢ，ＭＢＫ）および／または第２の移動局（ＭＴ，ＭＴ２，ＳＴＢ，ＭＢ，ＭＢＫ）はテキストデータ、オーディオデータ、ビデオデータおよび／または制御データ（ＴＡＶＳ）を送信／受信し、
ａ１１）前記第１の移動局（ＭＴ，ＭＴ１，ＭＢ，ＭＢＫ）および／または基地局（ＢＳ）を第１の内部データソース／データシンク（Ｉ−ＤＱＳ１）に対応付け、当該第１の内部データソース／データシンクから伝送されるテキストデータ、オーディオデータ、ビデオデータおよび／または制御データ（ＴＡＶＳ）を送信し、前記第１の内部データソース／データシンクに伝送されるべきテキストデータ、オーディオデータ、ビデオデータおよび／または制御データ（ＴＡＶＳ）を受信し、および／または
ａ１２）前記第２の移動局（ＭＴ，ＭＴ２，ＳＴＢ，ＭＢ，ＭＢＫ）および／または基地局（ＢＳ）を第２の内部データソース／データシンク（Ｉ−ＤＱＳ２）に対応付け、当該第２の内部データソース／データシンクから伝送されるテキストデータ、オーディオデータ、ビデオデータおよび／または制御データ（ＴＡＶＳ）を送信し、前記第２の内部データソース／データシンクに伝送されるべきテキストデータ、オーディオデータ、ビデオデータおよび／または制御データ（ＴＡＶＳ）を受信し、
ａ２）少なくとも１つの第３の移動局（ＭＴ，ＭＴ３，ＴＫＨＡ）によって、
ａ２１）外部電話通話を前記基地局（ＢＳ）を介して案内し、第３の移動局（ＭＴ，ＭＴ３，ＴＫＨＡ）が１つより多い場合には、当該第３の移動局（ＭＴ，ＭＴ３，ＴＫＨＡ）間で内部電話通話も案内し、
ａ２２）外部電話通話を案内し、テキストデータ、オーディオデータ、ビデオデータおよび／または制御データ（ＴＡＶＳ）を前記基地局（ＢＳ）を介して外部へ送信し、／外部から受信し、第３の移動局（ＭＴ，ＭＴ３，ＴＫＨＡ）が１つより多い場合には、当該第３の移動局（ＭＴ，ＭＴ３，ＴＫＨＡ）間で内部電話通話も案内し、テキストデータ、オーディオデータ、ビデオデータおよび／または制御データ（ＴＡＶＳ）を内部で送信／受信し、
ｂ）前記第３の移動局（ＭＴ，ＭＴ３，ＴＫＨＡ）は制御コマンド（ＳＴＫ）を形成し、当該制御コマンドをエアインターフェース（ＬＳＳ）を介して送信し、当該制御コマンド（ＳＴＫ）によって、
ｂ１）前記基地局（ＢＳ）、前記第１の移動局（ＭＴ，ＭＴ１，ＭＢ，ＭＢＫ）および／または前記第２の移動局（ＭＴ，ＭＴ２，ＳＴＢ，ＭＢ，ＭＢＫ）において終端させられたテキストデータ、オーディオデータ、ビデオデータおよび／または制御データ（ＴＡＶＳ）を呼び出し、当該データを、データを終端させた装置から直接的にまたは間接的に前記第１の内部データソース／データシンク（Ｉ−ＤＱＳ１）、前記第２の内部データソース／データシンク（Ｉ−ＤＱＳ２）および／または外部データソース／データシンク（Ｅ−ＤＱＳ）へその出力、転送または移動のために送出し、および／または
ｂ２）前記第３の基地局（ＭＴ，ＭＴ３，ＴＫＨＡ）、前記第１の内部データソース／データシンク（Ｉ−ＤＱＳ１）および／または前記第２の内部データソース／データシンク（Ｉ−ＤＱＳ２）において終端させられたテキストデータ、オーディオデータ、ビデオデータおよび／または制御データ（ＴＡＶＳ）を呼び出し、当該データを、該データを終端させた装置から、前記第１の内部データソース／データシンク（Ｉ−ＤＱＳ１）に対応付けされた第１の移動局（ＭＴ，ＭＴ１，ＭＢ，ＭＢＫ）ないしは第２の内部データソース／データシンク（Ｉ−ＤＱＳ２）に対応付けされた第２の移動局（ＭＴ，ＭＴ２，ＳＴＢ，ＭＢ，ＭＢＫ）および／または基地局（ＢＳ）を介して直接的または間接的に、前記第３の移動局（ＭＴ，ＭＴ３，ＴＫＨＡ）、別の第３の移動局（ＭＴ，ＭＴ３，ＴＫＨＡ）、外部データソース／データシンク（Ｅ−ＤＱＳ）、前記第１の内部データソース／データシンク（Ｉ−ＤＱＳ１）および／または前記第２の内部データソース／データシンク（Ｉ−ＤＱＳ２）へ、その出力、転送または移動のために送出する、
ことを特徴とする、「スマートホーム」環境における無線コミュニケーションおよび遠隔通信のための方法。
【請求項２】
コントロールコマンドを形成し、当該コントロールコマンドをＨＦ信号においてエアインタフェース（ＬＳＳ）を介して送出し、
前記コントロールコマンドによって、テキストデータ、オーディオデータ、ビデオデータおよび／または制御データ（ＴＡＶＳ）の出力、転送および移動を付加的に制御する、請求項１記載の方法。
【請求項３】
エアインタフェース（ＬＳＳ）として、電話およびブロードバンドデータ伝送用の共通のインタフェースを使用する、または電話およびブロードバンドデータ伝送用のそれぞれ１つの別個のインタフェースを使用する、請求項１または２記載の方法。
【請求項４】
エアインタフェース（ＬＳＳ）として、DECT，WDCT，DECT，IEEE 802.11a，IEEE 802.11b，IEEE 802.11g，Bluetooth，DECTおよびBluetooth，WDCTおよびBluetooth，DECTおよびIEEE 802.11a，DECTおよびIEEE 802.11b，DECTおよびIEEE 802.11g，ＷDCTおよびIEEE 802.11a，ＷDCTおよびIEEE 802.11b，ＷDCTおよびIEEE 802.11g，GSMおよびDECT，GSMおよびBluetooth，GSMおよびIEEE 802.11a，GSMおよびIEEE 802.11b，GSMおよびIEEE 802.11g，3GPPおよびBluetooth，3GPPおよびIEEE 802.11a，3GPPおよびIEEE 802.11bあるいは3GPPおよびIEEE 802.11gをベースとしたインタフェースを使用する、請求項３記載の方法。
【請求項５】
テキストデータとして、'ショートメッセージサービス'に従ったショートメッセージまたはビデオテキスト情報を使用し、オーディオデータとして、電話通話情報または'マルチメディアメッセージサービス（ＭＭＳ）'に従った音楽情報またはインターネットからのオーディオダウンロード、殊にＭＰ３ファイルを使用し、ビデオデータとして、'マルチメディアメッセージサービス'に従った画像情報またはインターネットからのビデオダウンロードを使用し、および／または制御データとして、殊にホーム領域における電気機器の制御、測定、閉ループ制御、較正、診断および／または整備のためのデータを使用する、請求項１記載の方法。
【請求項６】
第３の移動局（ＭＴ，ＭＴ３，ＴＫＨＡ）として、キーボードまたは音声制御並びに、メニュー制御を含むディスプレイ装置を伴ったコードレスコンフォート電話送受話器を使用し、基地局（ＢＳ）としてコードレス基地局を使用する、請求項１，３または４記載の方法。
【請求項７】
第３の移動局（ＭＴ，ＭＴ３，ＴＫＨＡ）として移動電話機を使用し、
当該移動電話機はコードレスインタフェース、殊に「Bluetooth」インタフェース、キーボード（ＴＡ）または音声制御並びにメニュー制御を含むディスプレイ装置（ＡＶ）を有しており、
基地局（ＢＳ）としてコードレス基地局を使用する、請求項１，３または４記載の方法。
【請求項８】
第１の移動局（ＭＴ，ＭＴ１，ＭＢ，ＭＢＫ）として、「Ethernet」インタフェースまたは「ＵＳＢ」インタフェースを伴うコードレスＩ／Ｏモバイルボックス（ＭＢ，ＭＢＫ）を使用する、請求項１，６または７記載の方法。
【請求項９】
第２の移動局（ＭＴ，ＭＴ２，ＳＴＢ，ＭＢ，ＭＢＫ）として、それぞれ「アナログ／ディジタル」インタフェース、「SCART／S-VIDEO」インタフェース、「CINCH/S-PID
F」インタフェースおよび／または「EIB/LON/LCN/KNX」インタフェースを有するコードレスセットトップボックス（ＳＴＢ）および／またはコードレスＩ／Ｏモバイルボックス（ＭＢ，ＭＢＫ）を使用する、請求項１，６，７または８記載の方法。
【請求項１０】
前記第１の移動局（ＭＴ，ＭＴ１，ＭＢ，ＭＢＫ）を、前記第１の内部データソース／データシンク（Ｉ−ＤＱＳ１）としてのパーソナルコンピュータ（ＰＣ）と接続する、請求項１または８記載の方法。
【請求項１１】
前記第１の移動局（ＭＴ，ＭＴ１，ＭＢ，ＭＢＫ）を、前記第１の内部データソース／データシンク（Ｉ−ＤＱＳ１）としてのパーソナルコンピュータ（ＰＣ）内に組み込む、請求項１記載の方法。
【請求項１２】
前記第２の移動局（ＭＴ，ＭＴ２，ＳＴＢ，ＭＢ，ＭＢＫ）を、前記第２の内部データソース／データシンク（Ｉ−ＤＱＳ２）としてのテレビション装置（ＦＡ）、ハイファイ装置（ＨＡ）または電気機器（ＥＬＧ）と接続する、請求項１または９記載の方法。
【請求項１３】
前記第２の移動局（ＭＴ，ＭＴ２，ＳＴＢ，ＭＢ，ＭＢＫ）を、前記第２の内部データソース／データシンク（Ｉ−ＤＱＳ２）としてのテレビション装置（ＦＡ）、ハイファイ装置（ＨＡ）または電気機器（ＥＬＧ）内に組み込む、請求項１記載の方法。
【請求項１４】
外部データソース／データシンク（Ｅ−ＤＱＳ）をマルチメディアメッセージ−サービスセンタまたはショートメッセージ−サービスセンタとして使用する、請求項１記載の方法。
【請求項１５】
前記基地局（ＢＳ）を、前記第１の内部データソース／データシンク（Ｉ−ＤＱＳ１）としてのパーソナルコンピュータ（ＰＣ）と接続する、および／または前記第２の内部データソース／データシンク（Ｉ−ＤＱＳ２）としてのテレビション装置（ＦＡ）、ハイファイ装置（ＨＡ）または電気機器（ＥＬＧ）と接続する、請求項１記載の方法。
【請求項１６】
前記基地局（ＢＳ）をネットワークインタフェースモジュール（ＮＳＳＭ）として、前記第１の内部データソース／データシンク（Ｉ−ＤＱＳ１）としてのパーソナルコンピュータ（ＰＣ）内に組み込み、前記第２の内部データソース／データシンク（Ｉ−ＤＱＳ２）としてのテレビション装置（ＦＡ）、ハイファイ装置（ＨＡ）または電気機器（ＥＬＧ）内に組み込む、請求項１記載の方法。
【請求項１７】
前記制御コマンド（ＳＴＫ）によって、「スタンバイ」モードにある前記パーソナルコンピュータ（ＰＣ）をウェイクアップさせて起動させる、請求項１および１０または１および１１記載の方法。
【請求項１８】
前記制御コマンド（ＳＴＫ）によって、それぞれ「スタンバイ」モードにあるテレビジョン装置（ＦＡ）、ハイファイ装置（ＨＡ）または電気機器（ＥＬＧ）をウェイクアップさせて起動させる、請求項１および１２または１および１３記載の方法。
【請求項１９】
前記制御コマンド（ＳＴＫ）によって「遠隔投票」を実行する、請求項１，９および１２または１，９および１３記載の方法。
【請求項２０】
前記制御コマンド（ＳＴＫ）によって、テレビジョン番組の開始および再会を前記第３の移動局（ＭＴ３，ＭＴ，ＴＫＨＡ）上に示す、請求項１，９および１２または１，９および１３記載の方法。
【請求項２１】
"スマートホーム"環境内での無線コミュニケーションおよび遠隔通信用の遠隔通信システム（ＴＫＳ１，ＴＫＳ２，ＴＫＳ３）であって、以下の特徴を有しており、すなわち：
ａ）電話通話を案内し、テキストデータ、オーディオデータ、ビデオデータおよび／または制御データ（ＴＡＶＳ）を送信／受信する基地局（ＢＳ）を有しており、当該基地局は回線交換型ネットワークおよび／またはパケット交換型ネットワーク（ＬＶＮ，ＰＶＮ）で、当該回線交換型ネットワークおよび／またはパケット交換型ネットワークに対応付けされた、テキストデータ、オーディオデータ、ビデオデータおよび／または制御データ（ＴＡＶＳ）用のデータソース／データドレイン（Ｅ−ＤＱＳ）と接続可能であり、電話通話を案内し、および／またはテキストデータ、オーディオデータ、ビデオデータおよび／または制御データ（ＴＡＶＳ）を送信／受信する少なくとも１つの移動局（ＭＴ，ＭＴ１，ＭＴ２，ＭＴ３，ＳＴＢ，ＭＢ，ＭＢＫ，ＴＫＨＡ）は少なくとも１つのエアインタフェース（ＬＳＳ）または少なくとも１つのエアインタフェース（ＬＳＳ）と回線インタフェース（ＬＴＳＳ）を介して相互に接続可能であり、
ａ１）テキストデータ、オーディオデータ、ビデオデータおよび／または制御データ（ＴＡＶＳ）を送信／受信する少なくとも１つの第１の移動局（ＭＴ，ＭＴ１，ＭＢ，ＭＢＫ）および／または第２の移動局（ＭＴ，ＭＴ２，ＳＴＢ，ＭＢ，ＭＢＫ）が構成されており、
ａ１１）第１の内部データソース／データシンク（Ｉ−ＤＱＳ１）に対して定められたテキストデータ、オーディオデータ、ビデオデータおよび／または制御データ（ＴＡＶＳ）を受信し、前記第１の内部データソース／データシンク（Ｉ−ＤＱＳ１）から生じたテキストデータ、オーディオデータ、ビデオデータおよび／または制御データ（ＴＡＶＳ）を送信する前記第１の移動局（ＭＴ，ＭＴ１，ＭＢ，ＭＢＫ）および／または基地局（ＢＳ）はそれぞれ、前記第１の内部データソース／データシンク（Ｉ−ＤＱＳ１）に対応付けされており、および／または
ａ１２）第２の内部データソース／データシンク（Ｉ−ＤＱＳ２）に対して定められたテキストデータ、オーディオデータ、ビデオデータおよび／または制御データ（ＴＡＶＳ）を受信し、前記第２の内部データソース／データシンク（Ｉ−ＤＱＳ２）から生じたテキストデータ、オーディオデータ、ビデオデータおよび／または制御データ（ＴＡＶＳ）を送信する前記第２の移動局（ＭＴ，ＭＴ２，ＳＴＢ，ＭＢ，ＭＢＫ）および／または基地局（ＢＳ）はそれぞれ、前記第２の内部データソース／データシンク（Ｉ−ＤＱＳ２）に対応付けされており、
ａ２）少なくとも１つの第３の移動局（ＭＴ，ＭＴ３，ＴＫＨＡ）が、
ａ２１）外部電話通話を前記基地局（ＢＳ）を介して案内し、第３の移動局（ＭＴ，ＭＴ３，ＴＫＨＡ）が１つより多い場合には、当該第３の移動局（ＭＴ，ＭＴ３，ＴＫＨＡ）間の内部電話通話も案内するために構成されており、または、
ａ２２）外部電話通話を案内し、テキストデータ、オーディオデータ、ビデオデータおよび／または制御データ（ＴＡＶＳ）を基地局（ＢＳ）を介して外部へ送信／受信し、第３の移動局（ＭＴ，ＭＴ３，ＴＫＨＡ）が１つより多い場合には、当該第３の移動局（ＭＴ，ＭＴ３，ＴＫＨＡ）間の内部電話通話も案内し、テキストデータ、オーディオデータ、ビデオデータおよび／または制御データ（ＴＡＶＳ）を内部で送信／受信するために構成されており、
ｂ）前記第３の移動局（ＭＴ，ＭＴ３，ＴＫＨＡ）は、当該第３の移動局（ＭＴ，ＭＴ３，ＴＫＨＡ）内のサービス進行および機能進行を制御するためにエアインタフェース（ＬＳＳ）と接続された中央制御ユニット（ＭＴ−Ｐ）を有しており、テキストデータ、オーディオデータ、ビデオデータおよび／または制御データを入力するために当該中央制御ユニット（ＭＴ−Ｐ）に割り当てられた記憶装置（ＭＴ−Ｓ）並びに当該中央制御ユニット（ＭＴ−Ｐ）に接続された手段（ＢＳＳ，ＴＡ）を有しており、テキストデータ、オーディオデータ、ビデオデータおよび／または制御データを出力するために手段（ＢＳＳ，ＡＶ）を有しており、これらは機能ユニットを形成し、ここでこれらは、制御コマンド（ＳＴＫ）が形成され、当該制御コマンドが前記エアインタフェース（ＬＳＳ）を介して送出されるように構成されており、当該制御コマンド（ＳＴＫ）によって、
ｂ１）前記基地局（ＢＳ）、前記第１の移動局（ＭＴ，ＭＴ１，ＭＢ，ＭＢＫ）および／または前記第２の移動局（ＭＴ，ＭＴ２，ＳＴＢ，ＭＢ，ＭＢＫ）において終端させられたテキストデータ、オーディオデータ、ビデオデータおよび／または制御データ（ＴＡＶＳ）が呼び出され、当該データが、データを終端させた装置から直接的にまたは間接的に第１の内部データソース／データシンク（Ｉ−ＤＱＳ１）、第２の内部データソース／データシンク（Ｉ−ＤＱＳ２）および／または外部データソース／データシンク（Ｅ−ＤＱＳ）へ、その出力、転送または移動のために送出され、および／または
ｂ２）前記第３の基地局（ＭＴ，ＭＴ３，ＴＫＨＡ）、前記第１の内部データソース／データシンク（Ｉ−ＤＱＳ１）および／または前記第２の内部データソース／データシンク（Ｉ−ＤＱＳ２）において終端させられたテキストデータ、オーディオデータ、ビデオデータおよび／または制御データ（ＴＡＶＳ）が呼び出され、当該データが、データを終端させた装置から、前記第１の内部データソース／データシンク（Ｉ−ＤＱＳ１）に対応付けされた第１の移動局（ＭＴ，ＭＴ１，ＭＢ，ＭＢＫ）ないしは第２の内部データソース／データシンク（Ｉ−ＤＱＳ２）に対応付けされた第２の移動局（ＭＴ，ＭＴ２，ＳＴＢ，ＭＢ，ＭＢＫ）および／または基地局（ＢＳ）を介して直接的または間接的に、第３の移動局（ＭＴ，ＭＴ３，ＴＫＨＡ）、別の第３の移動局（ＭＴ，ＭＴ３）、外部データソース／データシンク（Ｅ−ＤＱＳ）、前記第１の内部データソース／データシンク（Ｉ−ＤＱＳ１）および／または前記第２の内部データソース／データシンク（Ｉ−ＤＱＳ２）へ、その出力、転送または移動のために送出される、
ことを特徴とする、"スマートホーム"環境内での無線コミュニケーションおよび遠隔通信用の遠隔通信システム。
【請求項２２】
前記第３の移動局（ＭＴ，ＭＴ３，ＴＫＨＡ）内で、エアインタフェース（ＬＳＳ）と接続された、対応付けされた記憶装置（ＭＴ−Ｓ）を伴う中央制御ユニット（ＭＴ−Ｐ）並びに当該中央制御ユニット（ＭＴ−Ｐ）と接続された入力手段（ＢＳＳ，ＳＡ）と、出力手段（ＢＳＳ，ＡＶ）が、制御コマンド（ＳＴＫ）が形成され、当該制御コマンドがＨＦ信号において前記エアインタフェース（ＬＳＳ）を介して送出されるように構成されており、当該制御コマンドによって付加的に、テキストデータ、オーディオデータ、ビデオデータおよび／または制御データ（ＴＡＶＳ）の出力、転送および移動が制御可能である、請求項２１記載の遠隔通信システム。
【請求項２３】
前記エアインタフェース（ＬＳＳ）は電話およびブロードバンドデータ伝送用の共通のインタフェースを含む、ないし前記エアインタフェース（ＬＳＳ）は電話およびブロードバンドデータ伝送用の共通のインタフェースである、または電話およびブロードバンドデータ伝送用のそれぞれ１つの別個のインタフェースを含む、ないし電話およびブロードバンドデータ伝送用のそれぞれ１つの別個のインタフェースである、請求項２１または２２記載の遠隔通信システム。
【請求項２４】
前記エアインタフェース（ＬＳＳ）は、DECT，WDCT，DECT，IEEE 802.11a，IEEE 802.11b，IEEE 802.11g，Bluetooth，DECTおよびBluetooth，WDCTおよびBluetooth，DECTおよびIEEE 802.11a，DECTおよびIEEE 802.11b，DECTおよびIEEE 802.11g，ＷDCTおよびIEEE 802.11a，ＷDCTおよびIEEE 802.11b，ＷDCTおよびIEEE 802.11g，GSMおよびDECT，GSMおよびBluetooth，GSMおよびIEEE 802.11a，GSMおよびIEEE 802.11b，GSMおよびIEEE 802.11g，3GPPおよびBluetooth，3GPPおよびIEEE 802.11a，3GPPおよびIEEE 802.11bあるいは3GPPおよびIEEE 802.11gをベースとしたインタフェースである、請求項２３記載の遠隔通信システム。
【請求項２５】
前記テキストデータは、'ショートメッセージサービス'に従ったショートメッセージまたはビデオテキスト情報を含み、前記オーディオデータは電話通話情報、'マルチメディアメッセージサービス'に従った音楽情報またはインターネットからのオーディオダウンロード、殊にＭＰ３ファイルを含み、前記ビデオデータは'マルチメディアメッセージサービス'に従った画像情報またはインターネットからのビデオダウンロードを含み、および／または前記制御データは、殊にホーム領域における電気機器の制御、測定、閉ループ制御、較正、診断および／または整備のためのデータを含む、請求項２１記載の遠隔通信システム。
【請求項２６】
前記第３の移動局（ＭＴ，ＭＴ３，ＴＫＨＡ）は、キーボード（ＴＡ）または音声制御並びに、メニュー制御を含むディスプレイ装置（ＡＶ）を伴ったコードレスコンフォート電話送受話器として構成されており、前記基地局（ＢＳ）はコードレス基地局として構成されている、請求項２１，２３または２４記載の遠隔通信システム。
【請求項２７】
前記第３の移動局（ＭＴ，ＭＴ３，ＴＫＨＡ）は、コードレスインタフェース、殊に「Bluetooth」インタフェース、キーボード（ＴＡ）または音声制御並びにメニュー制御を含むディスプレイ装置（ＡＶ）を有している移動電話機として構成されており、前記基地局（ＢＳ）はコードレス基地局として構成されている、請求項２１，２３または２４記載の遠隔通信システム。
【請求項２８】
第１の移動局（ＭＴ，ＭＴ１，ＭＢ，ＭＢＫ）は、「Ethernet」インタフェースまたは「ＵＳＢインタフェース」を伴ったコードレスＩ／Ｏモバイルボックス（ＭＢ，ＭＢＫ）として構成されている、請求項２１，２６または２７記載の遠隔通信システム。
【請求項２９】
前記第２の移動局（ＭＴ，ＭＴ２，ＳＴＢ，ＭＢ，ＭＢＫ）は、それぞれ「アナログ／ディジタルインタフェース、「SCART／S-VIDEO」インタフェース、「CINCH/S-PIDF」インタフェースおよび／または「EIB/LON/LCN/KNX」インタフェースを有するセットトップボックス（ＳＴＢ）および／またはコードレスＩ／Ｏモバイルボックス（ＭＢ，ＭＢＫ）として構成されている、請求項２１，２６，２７または２８記載の遠隔通信システム。
【請求項３０】
前記第１の移動局（ＭＴ，ＭＴ１，ＭＢ，ＭＢＫ）は、前記第１の内部データソース／データシンク（Ｉ−ＤＱＳ１）としてのパーソナルコンピュータ（ＰＣ）と接続されている、請求項２１または２８記載の遠隔通信システム。
【請求項３１】
前記第１の移動局（ＭＴ，ＭＴ１，ＭＢ，ＭＢＫ）は、前記第１の内部データソース／データシンク（Ｉ−ＤＱＳ１）としてのパーソナルコンピュータ（ＰＣ）内に組み込まれている、請求項２１または２８記載の遠隔通信システム。
【請求項３２】
前記第２の移動局（ＭＴ，ＭＴ２，ＳＴＢ，ＭＢ，ＭＢＫ）は、前記第２の内部データソース／データシンク（Ｉ−ＤＱＳ２）としてのテレビション装置（ＦＡ）、ハイファイ装置（ＨＡ）または電気機器（ＥＬＧ）と接続されている、請求項２１または２９記載の遠隔通信システム。
【請求項３３】
前記第２の移動局（ＭＴ，ＭＴ２，ＳＴＢ，ＭＢ，ＭＢＫ）は、前記第２の内部データソース／データシンク（Ｉ−ＤＱＳ２）としてのテレビション装置（ＦＡ）、ハイファイ装置（ＨＡ）または電気機器（ＥＬＧ）内に組み込まれている、請求項２１記載の遠隔通信システム。
【請求項３４】
前記外部データソース／データシンク（Ｅ−ＤＱＳ）はマルチメディアメッセージ−サービスセンタまたはショートメッセージ−サービスセンタとして構成されている、請求項２１記載の遠隔通信システム。
【請求項３５】
前記基地局（ＢＳ）は前記第１の内部データソース／データシンク（Ｉ−ＤＱＳ１）としてのパーソナルコンピュータ（ＰＣ）と接続されている、および／または前記第２の内部データソース／データシンク（Ｉ−ＤＱＳ２）としてのテレビション装置（ＦＡ）、ハイファイ装置（ＨＡ）または電気機器（ＥＬＧ）と接続されている、請求項２１記載の遠隔通信システム。
【請求項３６】
前記基地局（ＢＳ）はネットワークインタフェースモジュール（ＮＳＳＭ）として、前記第１の内部データソース／データシンク（Ｉ−ＤＱＳ１）としてのパーソナルコンピュータ（ＰＣ）内に組み込まれており、前記第２の内部データソース／データシンク（Ｉ−ＤＱＳ２）としてのテレビジョン装置（ＦＡ）、ハイファイ装置（ＨＡ）または電気機器（ＥＬＧ）内に組み込まれている、請求項２１記載の遠隔通信システム。
【請求項３７】
「スタンバイ」モードにある前記パーソナルコンピュータ（ＰＣ）がウェイクアップされて起動されるように前記制御コマンド（ＳＴＫ）が形成される、請求項２１および３０または２１および３１記載の遠隔通信システム。
【請求項３８】
それぞれ「スタンバイ」モードにあるテレビジョン装置（ＦＡ）、ハイファイ装置（ＨＡ）または電気機器（ＥＬＧ）がウェイクアップされて起動されるように前記制御コマンド（ＳＴＫ）が形成される、請求項２１および３２または２１および３３記載の遠隔通信システム。
【請求項３９】
「遠隔投票」が実行されるように前記制御コマンド（ＳＴＫ）が形成される、請求項２１，２９および３２または２１，２９および３３記載の遠隔通信システム。
【請求項４０】
テレビジョン番組の開始および再開が前記第３の移動局（ＭＴ，ＭＴ３，ＴＫＨＡ）上に示されるように前記制御コマンド（ＳＴＫ）が形成される、請求項２１，２９および３２または２１，２９および３３記載の遠隔通信システム。
【請求項４１】
"スマートホーム"環境内での無線コミュニケーションおよび遠隔通信のための通信用送受話器（ＭＴ，ＭＴ３，ＴＫＨＡ）であって、
以下の特徴を有しており、すなわち：
ａ）少なくとも１つのエアインタフェース（ＬＳＳ）と、当該通信用送受話器（ＭＴ，ＭＴ３，ＴＫＨＡ）内でのサービス進行および機能進行を制御するために当該エアインタフェース（ＬＳＳ）と接続されている中央制御ユニット（ＭＴ−Ｐ）と、テキストデータ、オーディオデータ、ビデオデータおよび／または制御データ（ＴＡＶＳ）を入力するために前記中央制御ユニット（ＭＴ−Ｐ）に対応付けされている記憶装置（ＭＴ−Ｓ）並びに前記中央制御ユニット（ＭＴ−Ｐ）と接続されている手段（ＢＳＳ，ＴＡ）と、テキストデータ、オーディオデータ、ビデオデータおよび／または制御データ（ＴＡＶＳ）を出力するための手段（ＢＳＳ，ＡＶ）は機能ユニットを形成し、当該機能ユニットは次のように構成されており、すなわち
ａ１）外部電話通話を案内する、または外部電話通話を案内しかつテキストデータ、オーディオデータ、ビデオデータおよび／または制御データ（ＴＡＶＳ）を外部へ送信／受信するために前記通信用送受話器（ＭＴ、ＭＴ３，ＴＫＨＡ）は基地局（ＢＳ）と接続可能であり、当該基地局は、回線交換型ネットワークおよび／またはパケット交換型ネットワーク（ＬＶＮ，ＰＶＮ）で、テキストデータ、オーディオデータ，ビデオデータおよび／または制御データ（ＴＡＶＳ）用の当該ネットワークに対応付けされた外部データソース／データシンク（Ｅ−ＤＱＳ）と接続可能であり、
ａ２）さらなる通信用送受話器（ＭＴ，ＭＴ３，ＴＫＨＡ）および／または少なくとも１つのそれぞれ付加的な第１の移動局（ＭＴ，ＭＴ１，ＭＢ，ＭＢＫ）および／または第２の移動局（ＭＴ，ＭＴ２，ＳＴＢ，ＭＢ，ＭＢＫ）がテキストデータ、オーディオデータ、ビデオデータおよび／または制御データ（ＴＡＶＳ）を送信／受信するために基地局（ＢＳ）と接続されている場合、当該通信用送受話器（ＭＴ，ＭＴ３，ＴＫＨＡ）は、
ａ２１）内部電話通話を案内する、または外部電話通話を案内しかつテキストデータ、オーディオデータ、ビデオデータおよび／または制御データ（ＴＡＶＳ）を内部で送信／受信するために、それぞれ当該通信用送受話器（ＭＴ，ＭＴ３，ＴＫＨＡ）と接続可能であり、
ａ２２）テキストデータ、オーディオデータ、ビデオデータおよび／または制御データ（ＴＡＶＳ）を内部で送信／受信するために、それぞれ当該移動局（ＭＴ，ＭＴ１，ＭＴ２，ＳＴＢ，ＭＢ，ＭＢＫ）と接続可能であり、
ａ２３）第１の内部データソース／データシンク（Ｉ−ＤＱＳ１）に対して定められたテキストデータ、オーディオデータ、ビデオデータおよび／または制御データ（ＴＡＶＳ）を受信し、前記第１の内部データソース／データシンク（Ｉ−ＤＱＳ１）から生じたテキストデータ、オーディオデータ、ビデオデータおよび／または制御データ（ＴＡＶＳ）を送信する前記第１の移動局（ＭＴ，ＭＴ１，ＭＢ，ＭＢＫ）および／または基地局（ＢＳ）はそれぞれ、前記第１の内部データソース／データシンク（Ｉ−ＤＱＳ１）に対応付けされており、および／または
ａ２４）第２の内部データソース／データシンク（Ｉ−ＤＱＳ２）に対して定められたテキストデータ、オーディオデータ、ビデオデータおよび／または制御データ（ＴＡＶＳ）を受信し、前記第２の内部データソース／データシンク（Ｉ−ＤＱＳ２）から生じたテキストデータ、オーディオデータ、ビデオデータおよび／または制御データ（ＴＡＶＳ）を送信する前記第２の移動局（ＭＴ，ＭＴ２，ＳＴＢ，ＭＢ，ＭＢＫ）および／または基地局（ＢＳ）はそれぞれ、前記第２の内部データソース／データシンク（Ｉ−ＤＱＳ２）に対応付けされており、
ａ３）制御コマンド（ＳＴＫ）が形成され、当該制御コマンドは前記エアインタフェース（ＬＳＳ）を介して送出され、当該制御コマンド（ＳＴＫ）によって、
ａ３１）前記基地局（ＢＳ）、前記第１の移動局（ＭＴ，ＭＴ１，ＭＢ，ＭＢＫ）および／または前記第２の移動局（ＭＴ，ＭＴ２，ＳＴＢ，ＭＢ，ＭＢＫ）において終端させられたテキストデータ、オーディオデータ、ビデオデータおよび／または制御データ（ＴＡＶＳ）が呼び出され、当該データが、直接的にまたは間接的に、第１の内部データソース／データシンク（Ｉ−ＤＱＳ１）、第２の内部データソース／データシンク（Ｉ−ＤＱＳ２）および／または外部データソース／データシンク（Ｅ−ＤＱＳ）へ、その出力、転送または移動のために送出され、および／または
ａ３２）前記通信用送受話器（ＭＴ，ＭＴ３，ＴＫＨＡ）、前記第１の内部データソース／データシンク（Ｉ−ＤＱＳ１）および／または前記第２の内部データソース／データシンク（Ｉ−ＤＱＳ２）において終端させられたテキストデータ、オーディオデータ、ビデオデータおよび／または制御データ（ＴＡＶＳ）が呼び出され、当該データが、該データを終端させた装置から、前記第１の内部データソース／データシンク（Ｉ−ＤＱＳ１）に対応付けされた第１の移動局（ＭＴ，ＭＴ１，ＭＢ，ＭＢＫ）ないしは第２の内部データソース／データシンク（Ｉ−ＤＱＳ２）に対応付けされた第２の移動局（ＭＴ，ＭＴ２，ＳＴＢ，ＭＢ，ＭＢＫ）および／または基地局（ＢＳ）を介して直接的または間接的に、前記通信用送受話器（ＭＴ，ＭＴ３）、別の通信用送受話器（ＭＴ，ＭＴ３）、外部データソース／データシンク（Ｅ−ＤＱＳ）、前記第１の内部データソース／データシンク（Ｉ−ＤＱＳ１）および／または前記第２の内部データソース／データシンク（Ｉ−ＤＱＳ２）へ、その出力、転送または移動のために送出される、
ことを特徴とする、"スマートホーム"環境内での無線コミュニケーションおよび遠隔通信のための通信用送受話器。
【請求項４２】
エアインタフェース（ＬＳＳ）と、当該エアインタフェース（ＬＳＳ）と接続された中央制御ユニット（ＭＴ−Ｐ）と、当該中央制御ユニット（ＭＴ−Ｐ）に対応付けされた記憶装置（ＭＴ−Ｓ）と、当該中央制御ユニット（ＭＴ−Ｐ）と接続された入力手段（ＢＳＳ，ＴＡ）と出力手段（ＢＳＳ，ＡＶ）によって構成された機能ユニットが構成されており、コントロールコマンドが形成され、当該コントロールコマンドがＨＦ信号においてエアインタフェース（ＬＳＳ）を介して送出され、当該コントロールコマンドによって、テキストデータ、オーディオデータ、ビデオデータおよび／または制御データ（ＴＡＶＳ）の出力、転送および移動が付加的に制御可能である、請求項４１記載の通信用送受話器。
【請求項４３】
前記エアインタフェース（ＬＳＳ）は電話およびブロードバンドデータ伝送用の共通のインタフェースを含む、ないし前記エアインタフェース（ＬＳＳ）は電話およびブロードバンドデータ伝送用の共通のインタフェースである、または電話およびブロードバンドデータ伝送用のそれぞれ１つの別個のインタフェースを含むないし、電話およびブロードバンドデータ伝送用のそれぞれ１つの別個のインタフェースである、請求項４１または４２記載の通信用送受話器。
【請求項４４】
前記エアインタフェース（ＬＳＳ）は、DECT，WDCT，DECT，IEEE 802.11a，IEEE 802.11b，IEEE 802.11g，Bluetooth，DECTおよびBluetooth，WDCTおよびBluetooth，DECTおよびIEEE 802.11a，DECTおよびIEEE 802.11b，DECTおよびIEEE 802.11g，ＷDCTおよびIEEE 802.11a，ＷDCTおよびIEEE 802.11b，ＷDCTおよびIEEE 802.11g，GSMおよびDECT，GSMおよびBluetooth，GSMおよびIEEE 802.11a，GSMおよびIEEE 802.11b，GSMおよびIEEE 802.11g，3GPPおよびBluetooth，3GPPおよびIEEE 802.11a，3GPPおよびIEEE 802.11bあるいは3GPPおよびIEEE 802.11gをベースとしたインタフェースである、請求項４３記載の通信用送受話器。
【請求項４５】
前記テキストデータは、'ショートメッセージサービス'に従ったショートメッセージまたはビデオテキスト情報を含み、前記オーディオデータは電話通話情報、'マルチメディアメッセージサービス'に従った音楽情報またはインターネットからのオーディオダウンロード、殊にＭＰ３ファイルを含み、前記ビデオデータは'マルチメディアメッセージサービス'に従った画像情報またはインターネットからのビデオダウンロードを含み、および／または制御データは、殊にホーム領域における電気機器の制御、測定、閉ループ制御、較正、診断および／または整備のためのデータを含む、請求項３１記載の通信用送受話器。
【請求項４６】
キーボード（ＴＡ）または音声制御並びに、メニュー制御を含むディスプレイ装置（ＡＶ）を伴ったコードレスコンフォート電話送受話器を特徴とし、当該コードレスコンフォート電話送受話器は、基地局（ＢＳ）としてのコードレス基地局に対応付けされている、請求項４１，４３，４４記載の通信用送受話器。
【請求項４７】
コードレスインタフェース、殊に「Bluetooth」インタフェース、キーボード（ＴＡ）または音声制御並びにメニュー制御を含むディスプレイ装置（ＡＶ）を有している移動電話機を特徴とし、当該移動電話機は基地局（ＢＳ）としてのコードレス基地局に対応付けされている、請求項４１，４３，４４記載の通信用送受話器。
【請求項４８】
前記第１の移動局（ＭＴ，ＭＴ１，ＭＢ，ＭＢＫ）は、「Ethernet」インタフェースまたは「ＵＳＢ」インタフェースを伴うコードレスＩ／Ｏモバイルボックス（ＭＢ，ＭＢＫ）として構成されている、請求項４１，４６または４７記載の通信用送受話器。
【請求項４９】
前記第２の移動局（ＭＴ，ＭＴ２，ＳＴＢ，ＭＢ，ＭＢＫ）は、それぞれ「アナログ／ディジタル」インタフェース，「SCART／S-VIDEO」インタフェース，「CINCH/S-PIDF」インタフェースおよび／または「EIB/LON/LCN/KNX」インタフェース有するコードレスセットトップボックス（ＳＴＢ）および／またはコードレスＩ／Ｏモバイルボックス（ＭＢ，ＭＢＫ）として構成されている、請求項４１，４６，４７または４８記載の通信用送受話器。
【請求項５０】
前記第１の移動局（ＭＴ，ＭＴ１，ＭＢ，ＭＢＫ）は、前記第１の内部データソース／データシンク（Ｉ−ＤＱＳ１）としてのパーソナルコンピュータ（ＰＣ）と接続されている、請求項４１または４８記載の通信用送受話器。
【請求項５１】
前記第１の移動局（ＭＴ，ＭＴ１，ＭＢ，ＭＢＫ）は、前記第１の内部データソース／データシンク（Ｉ−ＤＱＳ１）としてのパーソナルコンピュータ（ＰＣ）内に組み込まれている、請求項４１記載の通信用送受話器。
【請求項５２】
前記第２の移動局（ＭＴ，ＭＴ２，ＳＴＢ，ＭＢ，ＭＢＫ）は、前記第２の内部データソース／データシンク（Ｉ−ＤＱＳ２）としてのテレビション装置（ＦＡ）、ハイファイ装置（ＨＡ）または電気機器（ＥＬＧ）と接続されている、請求項４１または４９記載の通信用送受話器。
【請求項５３】
前記第２の移動局（ＭＴ，ＭＴ２，ＳＴＢ，ＭＢ，ＭＢＫ）は、前記第２の内部データソース／データシンク（Ｉ−ＤＱＳ２）としてのテレビション装置（ＦＡ）、ハイファイ装置（ＨＡ）または電気機器（ＥＬＧ）内に組み込まれている、請求項４１記載の通信用送受話器。
【請求項５４】
前記外部データソース／データシンク（Ｅ−ＤＱＳ）はマルチメディアメッセージ−サービスセンタまたはショートメッセージ−サービスセンタとして構成されている、請求項４１記載の通信用送受話器。
【請求項５５】
前記基地局（ＢＳ）は前記第１の内部データソース／データシンク（Ｉ−ＤＱＳ１）としてのパーソナルコンピュータ（ＰＣ）と接続されている、および／または前記第２の内部データソース／データシンク（Ｉ−ＤＱＳ２）としてのテレビション装置（ＦＡ）、ハイファイ装置（ＨＡ）または電気機器（ＥＬＧ）と接続されている、請求項４１記載の通信用送受話器。
【請求項５６】
前記基地局（ＢＳ）はネットワークインタフェースモジュール（ＮＳＳＭ）として、前記第１の内部データソース／データシンク（Ｉ−ＤＱＳ１）としてのパーソナルコンピュータ（ＰＣ）内に組み込まれている、および／または前記第２の内部データソース／データシンク（Ｉ−ＤＱＳ２）としてのテレビジョン装置（ＦＡ）、ハイファイ装置（ＨＡ）または電気機器（ＥＬＧ）内に組み込まれている、請求項４１記載の通信用送受話器。
【請求項５７】
「スタンバイ」モードにある前記パーソナルコンピュータ（ＰＣ）がウェイクアップされて起動されるように前記制御コマンド（ＳＴＫ）が形成される、請求項４１および５０または４１および５１記載の通信用送受話器。
【請求項５８】
それぞれ「スタンバイ」モードにあるテレビジョン装置（ＦＡ）、ハイファイ装置（ＨＡ）または電気機器（ＥＬＧ）がウェイクアップされて起動されるように前記制御コマンド（ＳＴＫ）が形成される、請求項４１および５２または４１および５３記載の通信用送受話器。
【請求項５９】
「遠隔投票」が実行されるように前記制御コマンド（ＳＴＫ）が形成される、請求項４１，４９および５２または４１，４９および５３記載の通信用送受話器。
【請求項６０】
テレビジョン番組の開始および再開が前記通信用送受話器（ＭＴ，ＭＴ３，ＴＫＨＡ）上に表示されるように前記制御コマンド（ＳＴＫ）が形成される、請求項４１，４９および５２または４１，４９および５３記載の通信用送受話器。
【発明の詳細な説明】
【技術分野】
【０００１】
本発明は、「スマートホームSmart Home」環境においてワイヤレスコミュニケーションおよび通信を行うための方法、通信システムおよび通信用送受話器に関する。
【０００２】
「インテリジェントハウス／ビルディング」または「サービスハウス／ビルディング」といった意味に該当する用語「スマートホーム Smart Home」とは、コンシューマ向け電子機器、コミュニケーションテクノロジーおよび屋内技術を、（一世帯）住宅もしくは建造物（多世帯住宅、高層ビルディング、工場ビルディング、オフィスビルディング、住宅家屋群等）における部分的なオートメーションも含めて、トータルにネットワークに組み込むことである。これによれば、住宅／建造物内のすべての機器や装置はローカル（内部）ネットワークを介して相互に接続されるとともに、グローバルな（外部の）ネットワークにも接続され、このことは全般的な技術統合が進む中で上述のネットワーキング技術がますます融合されてきている。
【０００３】
その際、ホームエリアにおけるこのようなネットワーキング方式においてキーとして役割を間違いなく果たすことになるのはワイヤレス通信技術であり、殊にこのようなネットワーキング方式に対し簡単で高速かつユーザフレンドリーであってさらにいわずもがな低コストのソリューションを提供する技術である。これに関して挙げられるのは殊に、「スマートホーム」のオーナーが固有のローカルネットワークを構築できるようにしたすべてのコードレス技術であって、その目的は、３００ｍまでの狭い範囲内で、いわゆるホットスポット内で、その中の目下の滞留場所からグローバルネットワークたとえばインターネットへアクセスを行えるようにすることにある。この場合、上述の短距離無線エリアをカバーする可能性をもつコードレス技術として有利には、IEEE標準802.11 (a...) に準拠したWAN技術（Wireless Local Area Network）、ETSI標準であるETS 300 175-1...7に準拠したDECT技術（Digital Enhanced Cordless Telecommunication）、Bluetooth標準（BT Spec. v1.2）に準拠したBluetooth技術、IEEE標準802.16に準拠したWiMax技術、IEEE標準802.15.4に準拠したZigBee技術、および／または現在使用されている移動無線技術たとえばGSM無線システムまたは3GPP無線システムと先に挙げた短距離無線標準との組み合わせが考慮の対象となる。
【０００４】
ワイヤレス通信技術によりネットワークに組み込まれる機器および装置は「インテリジェントハウス／ビルディング内で多数の機能を担うことのできる１つの通信システムを成し、ここで多数の機能とはオペレーションおよびコントロールの機能、セキュリティおよび監視の機能、ヘルス＆ケアの機能、制御機能、ロジスティック機能、ならびにコミュニケーション機能および娯楽機能ないしはコンシューマ向け機能などである。
【０００５】
この目的で、このようにワイヤレス通信技術を用いて統合されてネットワーキングの施された住宅／建物内において、ネットワークに組み込まれた住宅／建物の内部（コミュニケーション）または外部（遠隔通信）で「スマートホーム」シナリオに関与する機器や装置間では通常、テキストデータ、オーディオデータ、ビデオデータおよび／または制御データが伝送され、上述の機器や装置はこれによってデータソースおよび／またはデータシンクとして振る舞うことになる。
【０００６】
本発明の基礎とする課題は、「スマートホーム」環境におけるワイヤレスのコミュニケーションおよび遠隔通信のための方法、通信システムおよび通信用送受話器において、一般にテキストデータ、オーディオデータ、ビデオデータおよび／または制御データがデータソースとデータシンクの間で伝送される「スマートホーム」というテーマで論じたシナリオを、簡単かつ高速にしかもユーザフレンドリーに実施できるようにすることである。
【０００７】
この課題は、「スマートホーム」環境におけるワイヤレスのコミュニケーションおよび遠隔通信のための方法に関しては、請求項１記載の特徴により解決される。
【０００８】
さらに上述の課題は、「スマートホーム」環境におけるワイヤレスのコミュニケーションおよび遠隔通信のための通信システムに関しては、請求項２１記載の特徴により解決される。
【０００９】
さらに上述の課題は、「スマートホーム」環境におけるワイヤレスのコミュニケーションおよび遠隔通信のための通信用送受話器に関しては、請求項４１記載の特徴により解決される。
【００１０】
本発明の基礎とする着想は以下の通りである。すなわち回線交換型／パケット交換型ネットワークと接続され電話通話の搬送およびテキストデータ、オーディオデータ、ビデオデータおよび／または制御データの送受信を行う基地局と、電話通話の搬送およびテキストデータ、オーディオデータ、ビデオデータおよび／または制御データの送受信を行う少なくとも１つの移動局から成り、それらがエアインタフェースを介して互いに接続されている「スマートホーム」環境において、ワイヤレスのコミュニケーションおよび遠隔通信を行うために有利にはコードレス電話機また移動電話機として構成された通信システムの移動局は制御コマンドを発し、この制御コマンドをワイヤレスのコミュニケーションおよび遠隔通信に関与する装置間のメッセージトラフィックの流れに沿って、たとえばＨＦ信号つまり無線信号に埋め込まれたかたちで、エアインタフェースを介して適正な目標に合わせて送信する。その際にこの制御コマンドによって、データソースに格納されているテキストデータ、オーディオデータ、ビデオデータおよび／または制御データが呼び出され、データシンクへのそれらのデータの出力、転送または格納もしくはデータソースにおけるそれらの出力が指示され実行される。
【００１１】
上述の移動局と上述の装置自体をデータソースとすることもできるしデータシンクとすることもできるという前提のもとで、制御コマンドを用いた以下のシナリオが考えられる：
（i）基地局および／または移動局において終端させられた（ターミネートさせられた）テキストデータ、オーディオデータ、ビデオデータおよび／または制御データが呼び出され、それらのデータがそれを終端させた装置から、第１の移動局が割り当てられた第１の内部データソース／シンクへ送信され、または第２の移動局が割り当てられた第２の内部データソース／シンクへ送信され、および／または基地局と接続され回線交換型および／またはパケット交換型ネットワークに割り当てられた外部データソース／シンクへ送信され、これによって上述のデータの出力、転送または格納が直接行われ、すなわちたとえば別の移動局、基地局および／またはその他の装置が介在することなく行われ、あるいは間接的に、すなわちたとえば別の移動局、基地局および／またはその他の装置を介在させて行われる。および／または、
（ii）移動局、第１の内部データソース／シンクおよび／または第２の内部データソース／シンクにおいて終端させられたテキストデータ、オーディオデータ、ビデオデータおよび／または制御データが呼び出され、それらのデータがそれを終端させた装置から、第１の内部データソース／シンクに割り当てられた第１の移動局もしくは第２の内部データソース／シンクに割り当てられた第２の移動局および／または基地局を介して、移動局、外部データソース／シンク、第１の内部データソース／シンクおよび／または第２の内部データソース／シンクへ送信され、これによって上述のデータの出力、転送または格納が直接行われ、すなわちたとえば別の移動局、基地局および／またはその他の装置が介在することなく行われ、あるいは間接的に、すなわちたとえば別の移動局、基地局および／またはその他の装置を介在させて行われる。
【００１２】
制御コマンドを生成して送信する移動局はたとえば、慣用のようにユーザフレンドリーな操作インタフェース（たとえばキーボード、ディスプレイ、メニュー制御、音声制御等）を装備したコードレス電話機もしくは移動電話機であり、これらにはさらに付加的に上述の目的に合わせて設計された制御機能が設けられている。したがってそれらの機能によって補われたコードレス電話機／移動電話機を、本来のとおり移動通信機器として利用することもできるし、「スマートホーム」環境における汎用の制御機器もしくは遠隔操作機器としても利用することができ、これによってコードレス電話機もしくは移動電話機のユーザないしはオペレータにとって操作快適性が向上する。ユーザないしはオペレータは、たとえば電話通信、「居住」領域（たとえばＳＯＨＯ領域；Small Office/HOme）における機器や装置のインテリジェント制御など様々な「スマートホーム」シナリオのために、ただ１つの機器しか必要とせず、従来技術のように多数の機器は不要となる。
【００１３】
両方のケースとも、すなわちコードレス電話機または移動電話機の双方とも、上述の基地局は請求項６、７、２６、２７、４６および４７によればコードレス基地局である。その際、このコードレス基地局への移動電話機の接続は、コードレスインタフェースたとえば「Bluetooth」インタフェースを介して行われる。
【００１４】
他の従属請求項および本発明の実施例の説明には、本発明の付加的な有利な実施形態が示されている。たとえばそれらのうちのいくつかを以下に挙げておく。
【００１５】
移動局の制御機能を制御コマンドよりもさらに発展させて、テキストデータ、オーディオデータおよび／または制御データの出力、転送または格納に関する操作快適性を向上させるコントロールコマンドに拡張することができる（請求項２、２２、４２）。典型的なコントロールコマンドはたとえば、データの再生ないしは出力との関連では「戻りおよび送り」「終了」「中断ないしはポーズ」「停止」「再開」等であり、転送および格納との関連では「中止」「消去」「コピー」等である。
【００１６】
通信システムの「スマートホーム」環境においてワイヤレスのコミュニケーションおよび遠隔通信のための物理的リソースを、伝送すべきデータ（たとえば音声データ、パケットデータ）および通常それに付随するデータ量に合わせて最適に整合する目的で、場合によっては有利となるのは、上述の両方のデータ形式のためにそれぞれ異なる別個のエアインタフェースを設けることである。つまりたとえば、ブロードバンド伝送用のエアインタフェース（たとえばBluetoothインタフェース、IEEE 802.11 a/b/gベースのインタフェース等）と、電話通信用のエアインタフェース（たとえばDECTインタフェース、WDCTインタフェース、GSMインタフェース等）を別個に設けるのである。他方、互換性やインタオペラビリティならびに妨害の受けやすさの観点から時として必要とされるのは、「スマートホーム」環境におけるワイヤレスのコミュニケーションおよび遠隔通信を、ただ１つのエアインタフェースのみを介して実行することであり、有利にはブロードバンド伝送に適したエアインタフェース（たとえばIEEE 802.11 a/b/g標準等をベースとするインタフェース）のみを介して実行することである（請求項３から５、２３から２５および４３から４５を参照）。ただしさらに別のコードレスインタフェースも考慮の対象とすることができ、たとえばWiMaxテクノロジーおよび／またはZigBeeテクノロジーをベースとするインタフェースも考慮することができる。
【００１７】
次に、図１〜図１１を参照しながら本発明の実施例について説明する。
【００１８】
図１は、「スマートホーム」環境におけるワイヤレスのコミュニケーションおよび遠隔通信のための第１の通信システムを示す図である。
【００１９】
図２は、「スマートホーム」環境におけるワイヤレスのコミュニケーションおよび遠隔通信のための第２の通信システムを示す図である。
【００２０】
図３は、「スマートホーム」環境におけるワイヤレスのコミュニケーションおよび遠隔通信のための第３の通信システムを示す図である。
【００２１】
図４は、第１のメッセージ流れ図（message sequence chart）であって、これによれば図１〜図３に示した通信システムにおける移動局のユーザがその移動局を用いて、「スタンバイ」モードにあるパーソナルコンピュータをウェイクアップさせて起動させる（第１の「スマートホーム」シナリオ）。
【００２２】
図５Ａ〜図５Ｃは、第２のメッセージ流れ図（message sequence chart）であって、これによれば図１〜図３に示した通信システムにおける移動局のユーザがこの移動局において、基地局で終端させられたこのマルチメディアメッセージを表示させて処理し、さらに新たなマルチメディアメッセージを作成する（第２の「スマートホーム」シナリオ）。
【００２３】
図６は、第３のメッセージ流れ図（message sequence chart）であって、これによれば図１〜図３に示した通信システムにおける移動局のユーザがこの移動局を用いてマルチメディアメッセージを受信し、つまりこの移動局においてそれを終端させて表示する（第３の「スマートホーム」シナリオ）。
【００２４】
図７Ａおよび図７Ｂは、第４のメッセージ流れ図（message sequence chart）であって、これによれば図１〜図３に示した通信システムにおける移動局のユーザがマルチメディアメッセージを他の移動局へ伝送する（第４の「スマートホーム」シナリオ）。
【００２５】
図８Ａ〜図８Ｃは、第５のメッセージ流れ図（message sequence chart）であって、これによれば図１〜図３に示した通信システムにおける移動局のユーザが、パーソナルコンピュータに格納されているビデオ映画をテレビジョン装置において見る（第５の「スマートホーム」シナリオ）。
【００２６】
図９Ａ〜図９Ｃは、第６のメッセージ流れ図（message sequence chart）であって、これによれば図１〜図３に示した通信システムにおける移動局のユーザが、パーソナルコンピュータに格納されているＭＰ３ファイルをハイファイ装置において出力する（第６の「スマートホーム」シナリオ）。
【００２７】
図１０Ａ〜図１０Ｃは、第７のメッセージ流れ図（message sequence chart）であって、これによれば図１〜図３に示した通信システムにおける移動局のユーザがその移動局により、テレビジョン放送の開始およびそのコマーシャルブレークによるその放送の中断に関して通知される。
【００２８】
図１１Ａ〜図１１Ｃは、第８のメッセージ流れ図（message sequence chart）であって、これによれば図１〜図３に示した通信システムにおける移動局のユーザがその移動局を用いて「遠隔投票 televoting」に参加する（第８の「スマートホーム」シナリオ）。
【００２９】
図１には、「スマートホーム」環境におけるワイヤレスのコミュニケーションおよび遠隔通信のための第１の通信システムＴＫＳ１が示されている。この目的で第１の通信システムＴＫＳ１は、有利にはコードレス基地局として構成された基地局ＢＳと、コードレス移動局およびコード接続移動局として構成された少なくとも１つの移動局ＭＴを有している。この場合、基地局ＢＳは回線接続ａ／ｂを介して、たとえばＩＳＤＭネットワークまたはＰＳＴＮネットワークとして構成可能な回線交換型ネットワークＬＶＮと接続されており、さらに基地局ＢＳは付加的なｘＤＳＬ接続またはＥＴＨＥＲＮＥＴ接続を介して、たとえばインターネットとして構成可能なパケット交換型ネットワークＰＶＮと接続されている。また、移動局は外部コミュニケーション（回線交換型ネットワークＬＶＮおよび／またはパケット交換型ネットワークＰＶＮへのアクセス）のために、および／または内部コミュニケーション（通信システム内の各移動局相互間のコミュニケーション）のために、それぞれエアインタフェースＬＳＳまたはラインインタフェースＬＴＳＳを介して、基地局ＢＳと双方向接続されている。
【００３０】
外部（EXTERN）コミュニケーションをたとえば以下のように構成することができる。すなわち基地局ＢＳおよび／または移動局ＭＴおよびサービスセンタＤＺの間で、「ショートメッセージサービスＳＭＳ，Short Message Service」および／または「マルチメディアメッセージＭＭＳ，Multimedia Message Service」による短いメッセージのために伝送が行われる。なぜならば第１の通信システムＴＫＳ１内の加入者は、このようなメッセージを遠隔の通信加入者へ送りたいからであり、あるいは第１の通信システムＴＫＳ１内の加入者はこのようなメッセージを遠隔の通信加入者から受け取りたいからである。
【００３１】
内部（INTERN）コミュニケーションの場合、これに関与する移動局は通常、基地局ＢＳを介してコミュニケーションを行い、その際に基地局ＢＳはコミュニケーション（コネクション）の制御の役割を担うけれども、本来の有効データ伝送のために伝送すべきデータを単に転送するだけである。しかしながら、エアインタフェースＬＳＳを介して基地局ＢＳと接続されている移動局は、基地局ＢＳを関与させなくてもいわゆる「ポイント・ツー・ポイント」コネクションに従ってデータを相互に伝送し合うようにすることも可能であり、この場合、「ポイント・ツー・ポイント」コネクションはコネクション制御の役割も本来の有効データ伝送の役割も担う。
【００３２】
エアインタフェースＬＳＳを介してコードレス基地局ＢＳと接続されている第１の通信システムＴＫＳ１のコードレス移動局ＭＴは、コードレス入／出力モバイルボックスＭＢいわゆるコードレスＩ／Ｏモバイルボックスであるかまたは、コードレス電話機として構成されたごく普通の通信用送受話器ＴＫＨＡであって、これにはキーパッドまたは音声制御とメニュー制御を備えたディスプレイとから成るユーザインタフェースが設けられている。他方、ラインインタフェースＬＴＳＳを介して基地局ＢＳと接続されているコード接続された移動局ＭＴは、周知の機能をもつコード接続されたセットトップボックスＳＴＢである。
【００３３】
図１に示されている第１の通信システムＴＫＳ１に対する代案として、「スマートホーム」環境において以下のように変形された通信システムを適用することもできる。すなわちこの場合、コードレス電話機ではなく、それと同じまたは同等の特徴を備えた移動電話機（たとえばＧＳＭ携帯電話機または３ＧＰＰ携帯電話機）が利用され、この移動電話機にはコードレス基地局ＢＳおよび他のコードレス移動局ＭＴとのコードレスコネクションのためのコードレスインタフェースが設けられている。
【００３４】
さらに別の変形実施形態によれば、これに加えてコードレス基地局ＢＳを移動無線基地局に置き換えることもできる。このように構成した結果、この種の通信システムにおける内部コミュニケーションはもっぱら、移動無線基地局が関与することなく「ポイント・ツー・ポイント」コネクションを介したコードレス移動局からコードレス移動局またはコードレス移動局からコードレスインタフェースを備えた移動電話機へのワイヤレス通信である。この通信システムにおいて移動電話機から外部のネットワークへの外部コミュニケーションは、移動無線エリア内のように移動無線基地局を介して行われるのに対し、他のコードレス移動局ＭＴからの外部コミュニケーションは、移動電話機および移動無線基地局を介して行われ、その際、移動電話機はコードレスから移動無線への変換器としての役割を果たす。
【００３５】
第１の通信システムＴＫＳ１における種々のＩ／ＯモバイルボックスＭＢおよびセットトップボックスＳＴＢは、「スマートホーム」シナリオのために様々な機器や装置と接続されている。したがって第１の移動局ＭＴ１として構成されたＩ／ＯモバイルボックスＭＢは、回線接続ＵＳＢ，ＥＴＨＥＲＮＥＴを介してパーソナルコンピュータＰＣと接続されている。ただし、パーソナルコンピュータＰＣを回線接続ＵＳＢ，ＥＴＨＥＲＮＥＴを介して第１の移動局ＭＴ１もしくはＩ／ＯモバイルボックスＭＢと接続する代わりに、第１の移動局ＭＴ１として構成されたＩ／ＯモバイルボックスカードＭＢＫをパーソナルコンピュータＰＣの空きＰＣＩカードスロットに取り付けるようにした一体化ソリューションも可能である。
【００３６】
さらに別の４つのＩ／ＯモバイルボックスＭＢが第２の移動局ＭＴ２として、テレビジョン装置ＦＡ、ハイファイ装置ＨＡおよび２つの電気機器ＥＬＧすなわち洗濯機および電気コンロと接続される。テレビジョン装置ＦＡと第２の移動局ＭＴとの接続は有利には、回線接続SCART,S-VIDEO（Syndicat des Construtcteurs d'Appareils Radiorecepteurs et Televiseurs; Super-Video）であり、ハイファイ装置ＨＡと第２の移動局ＭＴ２との接続は有利には、回線接続CINCH,S/PDIF（もともとCINCH社によるものであり同軸ケーブルを用いる標準化された電気信号伝送用接続；Sony/Philips Digital InterFace）である一方、２つの電気機器ＥＬＧすなわち洗濯機と電気コンロの接続は有利には、回線接続EIB,LON,LCN,KNX（European Installation Bus−あらゆる種類の工業製品を制御するためのビルディング設備用標準化バス；Local Operating Network−アメリカ合衆国の会社Echolonのフィールドバスシステム；Local Control Network−Issendorf社のバスシステム；KoNneX標準−３つのバスシステムEIB, BatiBus, EHSの長所をまとめたものであり、それゆえインタオペラビリティが保証されている。なお、BaitBusはフランスで開発されたバスシステムでありEIBバスと同じように構築されている。また、EHSは"European Home System"というテーマに対する複数のヨーロッパの会社の連合である）。ここで挙げたすべての回線接続すなわちSCART, S-VIDEO, CINCH, S/PDIF, EIB, LON, LCN, KNXは、住宅技術およびコンシューマ向け電子機器において利用される一般的な標準インタフェースである。
【００３７】
ここで触れておくと、Ｉ／Ｏモバイルボックスとパーソナルコンピュータとの対応づけに際して論じた一体化ソリューションを、当然ながらテレビジョン装置ＦＡ，ハイファイ装置ＨＡならびに電気機器ＥＬＧにおいても行うことができる。
【００３８】
電気機器ＥＬＧ，テレビジョン装置ＦＡ，ハイファイ装置ＨＡ，パーソナルコンピュータＰＣ、基地局ＢＳも、第１および第２の移動局ＭＴ１，ＭＴ２として構成されたＩ／ＯモバイルボックスＭＢも、電流供給のための給電源ＳＶＮと接続されている。
【００３９】
これとは異なり、第３の移動局ＭＴ３として構成されやはりエアインタフェースＬＳＳを介して基地局ＢＳと接続されている通信用送受話器ＴＫＨＡはバッテリ駆動もしくは蓄電池駆動される一方、第２の移動局ＭＴ２に属しラインインタフェースＬＴＳＳを介して基地局ＢＳと接続されているセットトップボックスＳＴＢたとえばＩ／ＯモバイルボックスＭＢは、給電源ＳＶＮと接続されている。セットトップボックスＳＴＢはＤＶＢ信号DVB-T/S/C (Digital Video Broadcasting-Terrestrial/Satellite/-Cable)を受信し、このＤＶＢ信号を周知のようにテレビジョン装置ＦＡとハイファイ装置ＨＡのためのアナログ信号／ディジタル信号AS/DS (Analog-Signal/Digital-Signal)に変換する。
【００４０】
さて、第１の通信システムＴＫＳ１において「スマートホーム」シナリオの流れに沿って、移動局ＭＴ１，ＭＴ２，ＭＴ３と基地局ＢＳとの間、移動局ＭＴ１，ＭＴ２，ＭＴ３の間、移動局ＭＴ１，ＭＴ２，ＭＴ３および基地局ＢＳの側と回線交換型ネットワークＬＶＮおよびパケット交換型ネットワークＰＶＮならびにこれらのネットワークに割り当てられたサービスセンタＤＺの側との間で、テキストデータ、オーディオデータ、ビデオデータおよび／または制御データＴＡＶＳが伝送されることになる。第１の通信システムＴＫＳ１における任意のいずれの機器からも、ないしは任意のいずれの装置からも、この通信システムＴＫＳ１における他の機器ないしは他の装置へ向けてデータを伝送することができ、したがってこれらの機器もしくは装置はデータソース／データシンクとしての機能を果たし、このことはたとえばデータソース／データシンクの古典的なイメージに従えばパーソナルコンピュータＰＣ、テレビジョン装置ＦＡ、ハイファイ装置ＨＡ、電気機器ＥＬＧならびにサービスセンタＤＺに該当するので、パーソナルコンピュータＰＣは基地局ＢＳに近い場所にあり第１の移動局ＭＴ１に対応づけられることから、第１の内部データソース／データシンクＩ−ＤＱＳ１と呼ばれ、テレビジョン装置ＦＡ、ハイファイ装置ＨＡならびに電気機器ＥＬＧは基地局ＢＳに近い場所にあり第２の移動局ＭＴ２に対応づけられていることから、第２の内部データソース／データシンクＩ−ＤＱＳ２と呼ばれ、さらにサービスセンタＤＺは回線交換型ネットワークＬＶＮもしくはパケット交換型ネットワークＰＶＮに属し、つまりは基地局ＢＳから遠い場所にあるので、外部データソース／データシンクＥ−ＤＱＳと呼ばれる。
【００４１】
とはいえ「スマートホーム」シナリオに関して、移動局ＭＴ１，ＭＴ２，ＭＴ３と基地局ＢＳ自体をさらに別のデータソース／データシンクとしても構成することができる。
【００４２】
第１の通信システムＴＫＳ１における「スマートホーム」シナリオのために伝送されるテキストデータ、オーディオデータ、ビデオデータおよび／または制御データＴＡＶＳを、以下のようにして供給することができる。
・テキストデータは有利には、「ショートメッセージサービス」によるショートメッセージまたはビデオテキスト情報である。
・オーディオデータは有利には、電話通話情報、「マルチメディアメッセージサービス」による音楽情報、あるいはインターネットからのオーディオダウンロードたとえばＭＰ３ファイルである。
・ビデオデータは有利には、「マルチメディアメッセージサービス」による画像情報またはインターネットからのビデオダウンロードである。
・最後に制御データは、電気機器の制御、測定、調整、較正、診断および／または保守のためのデータである。
【００４３】
「スマートホーム」環境においてワイヤレスのコミュニケーションおよび遠隔通信のために第１の通信システムＴＫＳ１の物理的なリソースを、伝送すべきデータ（たとえば音声データおよびテキストデータ、パケットデータ、オーディオデータおよびビデオデータ）ならびに通常それに付随するデータ量に合わせて最適に整合する目的で、第１の通信システムＴＫＳ１は有利には、上述の様々なデータ形式に対し個々のデータ伝送についてそれぞれ最適に設計されている種々のエアインタフェースを提供できるように構成されている。つまりたとえばエアインタフェースＬＳＳには、電話機とブロードバンドデータ伝送に共通するインタフェースを、あるいは電話機とブロードバンドデータ伝送とでそれぞれ別個のインタフェースを含めることができる。
【００４４】
したがってたとえば、従来技術により知られている無線標準に準拠したエアインタフェースを、DECT，WDCT，DECTおよびBluetooth，WDCTおよびBluetooth，DECTおよびIEEE 802.11a，DECTおよびIEEE 802.11b，DECTおよびIEEE 802.11g，WDCTおよびIEEE 802.11a，WDCTおよびIEEE 802.11b，WDCTおよびIEEE 802.11g，GSMおよびDECT，GSMおよびBluetooth，GSMおよびIEEE 802.11a，GSMおよびIEEE 802.11b，GSMおよびIEEE 802.11g，3GPPおよびBluetooth，3GPPおよびIEEE 802.11a，3GPPおよびIEEE 802.11bあるいは3GPPおよびIEEE 802.11gをベースとしたインタフェースとすることができる。
【００４５】
図２には、「スマートホーム」環境におけるワイヤレスのコミュニケーションおよび遠隔通信のための第２の通信システムＴＫＳ２が示されている。このために第２の通信システムＴＫＳ２は図１の第１の通信システムＴＫＳ１と同様、有利にはコードレス基地局として構成された基地局ＢＳと、コードレス移動局として構成された少なくとも１つの移動局ＭＴを有している。この場合、基地局ＢＳは回線接続ａ／ｂを介して、たとえばＩＳＤＮネットワークまたはＰＳＴＮネットワークとして構成可能な回線交換型ネットワークＰＶＮと接続されており、さらに基地局ＢＳは付加的なｘＤＳＬ接続またはＥＴＨＥＲＮＥＴ接続を介して、たとえばインターネットとして構成可能なパケット交換型ネットワークＰＶＮと接続されている。また、移動局ＭＴは、外部コミュニケーション（回線交換型ネットワークＬＶＮおよび／またはパケット交換型ネットワークＰＶＮへのアクセス）のために、および／または内部コミュニケーション（通信システム内の各移動局相互間のコミュニケーション）のために、それぞれエアインタフェースＬＳＳを介して、基地局ＢＳと双方向接続されている。
【００４６】
外部（EXTERN）コミュニケーションをたとえば以下のように構成することができる。すなわち基地局ＢＳおよび／または移動局ＭＴおよびサービスセンタＤＺの間で、「ショートメッセージサービスＳＭＳ，Short Message Service」および／または「マルチメディアメッセージＭＭＳ，Multimedia Message Service」による短いメッセージのために伝送が行われる。なぜならば第２の通信システムＴＫＳ２内の加入者は、このようなメッセージを遠隔の通信加入者へ送りたいからであり、あるいは第２の通信システムＴＫＳ２内の加入者はこのようなメッセージを遠隔の通信加入者から受け取りたいからである。
【００４７】
内部（INTERN）コミュニケーションの場合、これに関与する移動局はやはり通常、基地局ＢＳを介してコミュニケーションを行い、その際に基地局ＢＳはコミュニケーション（コネクション）の制御の役割を担うけれども、本来の有効データ伝送のために伝送すべきデータを単に転送するだけである。しかしながら、エアインタフェースＬＳＳを介して基地局ＢＳと接続されている移動局は、基地局ＢＳを関与させなくてもいわゆる「ポイント・ツー・ポイント」コネクションに従ってデータを相互に伝送し合うようにすることも可能であり、この場合、「ポイント・ツー・ポイント」コネクションはコネクション制御の役割も本来の有効データ伝送の役割も担う。
【００４８】
エアインタフェースＬＳＳを介してコードレス基地局ＢＳと接続されている第２の通信システムＴＫＳ２のコードレス移動局ＭＴは、コードレス入／出力モバイルボックスＭＢいわゆるコードレスＩ／Ｏモバイルボックス、周知の機能を備えたコードレスセットトップボックスＳＴＢ、あるいはコードレス電話機として構成されたごく普通の通信用送受話器ＴＫＨＡであって、これにはキーパッドまたは音声制御とメニュー制御を備えたディスプレイとから成るユーザインタフェースが設けられている。
【００４９】
図２に示されている第２の通信システムＴＫＳ２に対する代案として、「スマートホーム」環境においてやはり以下のように変形された通信システムを適用することもできる。すなわちこの場合、コードレス電話機はなく、それと同じまたは同等の特徴を備えた移動電話機（たとえばＧＳＭ携帯電話機または３ＧＰＰ携帯電話機）が利用され、この移動電話機にはコードレス基地局ＢＳおよび他のコードレス移動局ＭＴとのコードレスコネクションのためのコードレスインタフェースが設けられている。
【００５０】
第２の通信システムＴＫＳ２における種々のＩ／ＯモバイルボックスＭＢおよびセットトップボックスＳＴＢは、「スマートホーム」シナリオのために様々な機器や装置と接続されている。ただし第１の通信システムＴＫＳ１とは異なり、パーソナルコンピュータＰＣは、回線接続ＵＳＢ、ＥＴＨＥＲＮＥＴを介して第１の移動局ＭＴ１として構成されたＩ／ＯモバイルボックスＭＢと接続されているのではなく、コードレス基地局ＢＳとダイレクトに接続されている。
【００５１】
さらに４つのＩ／ＯモバイルボックスＭＢが第２の移動局ＭＴ２として、テレビジョン装置ＦＡ、ハイファイ装置ＨＡおよび２つの電気機器ＥＬＧすなわち洗濯機および電気コンロと接続されている。テレビジョン装置ＦＡと第２の移動局ＭＴ２との接続はやはり有利には回線接続SCART, S-VIDEOであり、ハイファイ装置ＨＡと第２の移動局ＭＴ２との接続はやはり有利には回線接続CINCH, S/PDIFである一方、２つの電気機器ＥＬＧすなわち洗濯機と電気コンロの接続は、やはり有利には回線接続EIB, LON, LCN, KNXである。
【００５２】
ここで触れておくと、基地局とパーソナルコンピュータとの対応づけに際して論じたダイレクトな接続構成を、当然ながらテレビジョン装置ＦＡ，ハイファイ装置ＨＡならびに電気機器ＥＬＧにおいても行うことができる。
【００５３】
電気機器ＥＬＧ，テレビジョン装置ＦＡ，ハイファイ装置ＨＡ，パーソナルコンピュータＰＣ、基地局ＢＳも、第２の移動局ＭＴ２として構成されたＩ／ＯモバイルボックスＭＢも、電流供給のためやはり給電源ＳＶＮと接続されている。
【００５４】
これとは異なり、第３の移動局ＭＴ３として構成されやはりエアインタフェースＬＳＳを介して基地局ＢＳと接続されている通信用送受話器ＴＫＨＡはバッテリ駆動もしくは蓄電池駆動される一方、第２の移動局ＭＴ２に属しエアインタフェースＬＳＳを介して基地局ＢＳと接続されているセットトップボックスＳＴＢたとえばＩ／ＯモバイルボックスＭＢは、給電源ＳＶＮと接続されている。セットトップボックスＳＴＢはやはりＤＶＢ信号DVB-T/S/Cを受信し、このＤＶＢ信号を周知のようにテレビジョン装置ＦＡとハイファイ装置ＨＡのためのアナログ信号／ディジタル信号AS/DSに変換する。
【００５５】
さて、第１の通信システムＴＫＳ１の場合と同様、第２の通信システムＴＫＳ２においても「スマートホーム」シナリオの流れに沿って、移動局ＭＴ２，ＭＴ３と基地局ＢＳとの間、移動局ＭＴ２，ＭＴ３の間、移動局ＭＴ２，ＭＴ３および基地局ＢＳの側と回線交換型ネットワークＬＶＮおよびパケット交換型ネットワークＰＶＮならびにこれらのネットワークに割り当てられたサービスセンタＤＺの側との間で、テキストデータ、オーディオデータ、ビデオデータおよび／または制御データＴＡＶＳが伝送されることになる。この場合も、第２の通信システムＴＫＳ１における任意のいずれの機器からも、ないしは任意のいずれの装置からも、この通信システムＴＫＳ２における他の機器ないしは他の装置へ向けてデータを伝送することができ、したがってこれらの機器もしくは装置はデータソース／データシンクとしての機能を果たし、このことはたとえばデータソース／データシンクの古典的なイメージに従えばパーソナルコンピュータＰＣ、テレビジョン装置ＦＡ、ハイファイ装置ＨＡ、電気機器ＥＬＧならびにサービスセンタＤＺに該当するので、パーソナルコンピュータＰＣは基地局ＢＳに近い場所にあることから、やはり第１の内部データソース／データシンクＩ−ＤＱＳ１と呼ばれ、テレビジョン装置ＦＡ、ハイファイ装置ＨＡならびに電気機器ＥＬＧはやはり基地局ＢＳに近い場所にあり第２の移動局ＭＴ２に対応づけられていることから、第２の内部データソース／データシンクＩ−ＤＱＳ２と呼ばれ、さらにサービスセンタＤＺは回線交換型ネットワークＬＶＮもしくはパケット交換型ネットワークＰＶＮに属し、つまりは基地局ＢＳからは遠い場所にあるので、やはり外部データソース／データシンクＥ−ＤＱＳと呼ばれる。
【００５６】
とはいえ「スマートホーム」シナリオに関して、移動局ＭＴ２，ＭＴ３と基地局ＢＳ自体をさらに別のデータソース／データシンクとしても構成することができる。
【００５７】
第２の通信システムＴＫＳ２における「スマートホーム」シナリオのために伝送されるテキストデータ、オーディオデータ、ビデオデータおよび／または制御データＴＡＶＳを、やはり以下のようにして供給することができる。
・テキストデータは有利には、「ショートメッセージサービス」によるショートメッセージまたはビデオテキスト情報である。
・オーディオデータは有利には、電話通話情報、「マルチメディアメッセージサービス」による音楽情報、あるいはインターネットからのオーディオダウンロードたとえばＭＰ３ファイルである。
・ビデオデータは有利には、「マルチメディアメッセージサービス」による画像情報またはインターネットからのビデオダウンロードである。
・最後に制御データは、電気機器の制御、測定、調整、較正、診断および／または保守のためのデータである。
【００５８】
「スマートホーム」環境においてワイヤレスのコミュニケーションおよび遠隔通信のために第２の通信システムＴＫＳ２の物理的なリソースを、伝送すべきデータ（たとえば音声データおよびテキストデータ、パケットデータ、オーディオデータおよびビデオデータ）ならびに通常それに付随するデータ量に合わせてやはり最適に整合する目的で、第２の通信システムＴＫＳ２は有利には、上述の様々なデータ形式に対し個々のデータ伝送についてそれぞれ最適に設計されている種々のエアインタフェースを提供できるように構成されている。つまりたとえばエアインタフェースＬＳＳにはやはり、電話機とブロードバンドデータ伝送に共通するインタフェースを、あるいは電話機とブロードバンドデータ伝送とでそれぞれ別個のインタフェースを含めることができる。
【００５９】
したがってたとえば、従来技術により知られている無線標準に準拠したエアインタフェースを、DECT，WDCT，DECTおよびBluetooth，WDCTおよびBluetooth，DECTおよびIEEE 802.11a，DECTおよびIEEE 802.11b，DECTおよびIEEE 802.11g，WDCTおよびIEEE 802.11a，WDCTおよびIEEE 802.11b，WDCTおよびIEEE 802.11g，GSMおよびDECT，GSMおよびBluetooth，GSMおよびIEEE 802.11a，GSMおよびIEEE 802.11b，GSMおよびIEEE 802.11g，3GPPおよびBluetooth，3GPPおよびIEEE 802.11a，3GPPおよびIEEE 802.11bあるいは3GPPおよびIEEE 802.11gをベースとしたインタフェースとすることができる。
【００６０】
図３には、「スマートホーム」環境におけるワイヤレスのコミュニケーションおよび遠隔通信のための第３の通信システムＴＫＳ３が示されている。このために第３の通信システムＴＫＳ３は、ネットワークインタフェースモジュールＮＳＳＭとしてパーソナルコンピュータＰＣに組み入れられるコードレス基地局カードの形態で設計された基地局ＢＳと、コードレス移動局およびコード接続移動局として設計された少なくとも１つの移動局ＭＴを有している。この場合も基地局ＢＳは回線接続ａ／ｂを介して、たとえばＩＳＤＮネットワークまたはＰＳＴＮネットワークとして構成可能な回線交換型ネットワークＰＶＮと接続されており、さらに基地局ＢＳは付加的なｘＤＳＬ接続またはＥＴＨＥＲＮＥＴ接続を介して、たとえばインターネットとして構成可能なパケット交換型ネットワークＰＶＮと接続されている。また、移動局ＭＴは、外部コミュニケーション（回線交換型ネットワークＬＶＮおよび／またはパケット交換型ネットワークＰＶＮへのアクセス）のために、および／または内部コミュニケーション（通信システム内の各移動局相互間のコミュニケーション）のために、それぞれエアインタフェースＬＳＳを介して、基地局ＢＳと双方向接続されている。ネットワークインタフェースモジュールＮＳＳＭすなわち基地局カードはＰＣＩバスインタフェース（Peripheral Component Interconnect）を有しており、この関係で基地局カードはパーソナルコンピュータＰＣの空きＰＣＩカードスロットに挿入される。
【００６１】
この場合も、外部（EXTERN）コミュニケーションをたとえば以下のように構成することができる。すなわち基地局ＢＳおよび／または移動局ＭＴおよびサービスセンタＤＺの間で、「ショートメッセージサービスＳＭＳ，Short Message Service」および／または「マルチメディアメッセージＭＭＳ，Multimedia Message Service」による短いメッセージのために伝送が行われる。なぜならば第３の通信システムＴＫＳ３内の加入者は、このようなメッセージを遠隔の通信加入者へ送りたいからであり、あるいは第３の通信システムＴＫＳ３内の加入者はこのようなメッセージを遠隔の通信加入者から受け取りたいからである。
【００６２】
また、内部（INTERN）コミュニケーションの場合、これに関与する移動局はやはり通常、基地局ＢＳを介してコミュニケーションを行い、その際に基地局ＢＳはコミュニケーション（コネクション）の制御の役割を担うけれども、本来の有効データ伝送のために伝送すべきデータを単に転送するだけである。しかしながら、エアインタフェースＬＳＳを介して基地局ＢＳと接続されている移動局は、基地局ＢＳを関与させなくてもいわゆる「ポイント・ツー・ポイント」コネクションに従ってデータを相互に伝送し合うようにすることも可能であり、この場合、「ポイント・ツー・ポイント」コネクションはコネクション制御の役割も本来の有効データ伝送の役割も担う。
【００６３】
エアインタフェースＬＳＳを介してネットワークインタフェースモジュールＮＳＳＭすなわち基地局カードとして設計されているコードレス基地局ＢＳと接続されている第３の通信システムＴＫＳ３のコードレス移動局ＭＴは、コードレス入／出力モバイルボックスＭＢいわゆるコードレスＩ／Ｏモバイルボックス、Ｉ／Ｏ＆セットトップモバイルボックスＭＢ、ＳＴＢあるいはコードレス電話機として構成されたやはりごく普通の通信用送受話器ＴＫＨＡであって、これにはキーパッドまたは音声制御とメニュー制御を備えたディスプレイとから成るユーザインタフェースが設けられている。
【００６４】
図３に示されている第３の通信システムＴＫＳ３に対する代案として、「スマートホーム」環境においてやはり以下のように変形された通信システムを適用することもできる。すなわちこの場合、コードレス電話機ではなく、それと同じまたは同等の特徴を備えた移動電話機（たとえばＧＳＭ携帯電話機または３ＧＰＰ携帯電話機）が利用され、この移動電話機にはコードレス基地局ＢＳおよび他のコードレス移動局ＭＴとのコードレスコネクションのためのコードレスインタフェースが設けられている。
【００６５】
第３の通信システムＴＫＳ３における種々のＩ／ＯモバイルボックスＭＢおよびＩ／Ｏ＆セットトップボックスＭＢ，ＳＴＢは、やはり「スマートホーム」シナリオのために様々な機器や装置と接続されている。つまり３つのＩ／ＯモバイルボックスＭＢは第２の移動局ＭＴ２としてハイファイ装置ＨＡおよび２つの電気機器ＥＬＧすなわち洗濯機および電気コンロと接続されており、Ｉ／Ｏ＆セットトップモバイルボックスＭＢ，ＳＴＢはテレビジョン装置ＦＡと接続されている。テレビジョン装置ＦＡと第２の移動局ＭＴ２との接続はやはり有利には回線接続SCART, S-VIDEOであり、ハイファイ装置ＨＡと第２の移動局ＭＴ２との接続はやはり有利には回線接続CINCH, S/PDIFである一方、２つの電気機器ＥＬＧすなわち洗濯機と電気コンロの接続は、やはり有利には回線接続EIB, LON, LCN, KNXである。
【００６６】
ここで触れておくと、基地局とパーソナルコンピュータとの対応づけに際して論じた一体化ソリューションを、当然ながらテレビジョン装置ＦＡ，ハイファイ装置ＨＡならびに電気機器ＥＬＧにおいても行うことができる。
【００６７】
電気機器ＥＬＧ，テレビジョン装置ＦＡ，ハイファイ装置ＨＡ，パーソナルコンピュータＰＣ、基地局ＢＳも、第２の移動局ＭＴ２として構成されたＩ／ＯモバイルボックスＭＢも、電流供給のためやはり給電源ＳＶＮと接続されている。
【００６８】
これとは異なり、第３の移動局ＭＴ３として構成されやはりエアインタフェースＬＳＳを介して基地局ＢＳと接続されている通信用送受話器ＴＫＨＡはバッテリ駆動もしくは蓄電池駆動される一方、第２の移動局ＭＴ２に属しエアインタフェースＬＳＳを介して基地局ＢＳと接続されているＩ／Ｏ＆セットトップボックスモバイルボックスＭＴＢ，ＳＴＢたとえばＩ／ＯモバイルボックスＭＢは、給電源ＳＶＮと接続されている。セットトップボックスＳＴＢはやはりＤＶＢ信号DVB-T/S/Cを受信し、このＤＶＢ信号を周知のようにテレビジョン装置ＦＡとハイファイ装置ＨＡのためのアナログ信号／ディジタル信号AS/DSに変換する。
【００６９】
さて、第１の通信システムＴＫＳ１および第２の通信システムＴＫＳ２の場合と同様、第３の通信システムＴＫＳ３においても「スマートホーム」シナリオの流れに沿って、移動局ＭＴ２，ＭＴ３と基地局ＢＳとの間、移動局ＭＴ２，ＭＴ３の間、移動局ＭＴ２，ＭＴ３および基地局ＢＳの側と回線交換型ネットワークＬＶＮおよびパケット交換型ネットワークＰＶＮならびにこれらのネットワークに割り当てられたサービスセンタＤＺの側との間で、テキストデータ、オーディオデータ、ビデオデータおよび／または制御データＴＡＶＳが伝送されることになる。この場合も、第３の通信システムＴＫＳ３における任意のいずれの機器からも、ないしは任意のいずれの装置からも、この通信システムＴＫＳ３における他の機器ないしは他の装置へ向けてデータを伝送することができ、したがってこれらの機器もしくは装置はデータソース／データシンクとしての機能を果たし、このことはたとえばデータソース／データシンクの古典的なイメージに従えばパーソナルコンピュータＰＣ、テレビジョン装置ＦＡ、ハイファイ装置ＨＡ、電気機器ＥＬＧならびにサービスセンタＤＺに該当するので、パーソナルコンピュータＰＣは基地局ＢＳと一体に構成されていることから、やはり第１の内部データソース／データシンクＩ−ＤＱＳ１と呼ばれ、テレビジョン装置ＦＡ、ハイファイ装置ＨＡならびに電気機器ＥＬＧはやはり基地局ＢＳに近い場所にあり第２の移動局ＭＴ２に対応づけられていることから、第２の内部データソース／データシンクＩ−ＤＱＳ２と呼ばれ、さらにサービスセンタＤＺは回線交換型ネットワークＬＶＮもしくはパケット交換型ネットワークＰＶＮに属し、つまりは基地局ＢＳからは遠い場所にあるので、やはり外部データソース／データシンクＥ−ＤＱＳと呼ばれる。
【００７０】
とはいえ「スマートホーム」シナリオに関して、移動局ＭＴ２，ＭＴ３と基地局ＢＳ自体をさらに別のデータソース／データシンクとしても構成することができる。
【００７１】
第３の通信システムＴＫＳ３における「スマートホーム」シナリオのために伝送されるテキストデータ、オーディオデータ、ビデオデータおよび／または制御データＴＡＶＳを、やはり以下のようにして供給することができる。
・テキストデータは有利には、「ショートメッセージサービス」によるショートメッセージまたはビデオテキスト情報である。
・オーディオデータは有利には、電話通話情報、「マルチメディアメッセージサービス」による音楽情報、あるいはインターネットからのオーディオダウンロードたとえばＭＰ３ファイルである。
・ビデオデータは有利には、「マルチメディアメッセージサービス」による画像情報またはインターネットからのビデオダウンロードである。
・最後に制御データは、電気機器の制御、測定、調整、較正、診断および／または保守のためのデータである。
【００７２】
「スマートホーム」環境においてワイヤレスのコミュニケーションおよび遠隔通信のために第３の通信システムＴＫＳ３の物理的なリソースを、伝送すべきデータ（たとえば音声データおよびテキストデータ、パケットデータ、オーディオデータおよびビデオデータ）ならびに通常それに付随するデータ量に合わせて最適に整合する目的で、第３の通信システムＴＫＳ３は有利には、上述の様々なデータ形式に対し個々のデータ伝送についてそれぞれ最適に設計されている種々のエアインタフェースを提供できるように構成されている。つまりたとえばエアインタフェースＬＳＳにはやはり、電話機とブロードバンドデータ伝送に共通するインタフェースを、あるいは電話機とブロードバンドデータ伝送とでそれぞれ別個のインタフェースを含めることができる。
【００７３】
したがってたとえば、従来技術により知られている無線標準に準拠したエアインタフェースを、DECT，WDCT，DECTおよびBluetooth，WDCTおよびBluetooth，DECTおよびIEEE 802.11a，DECTおよびIEEE 802.11b，DECTおよびIEEE 802.11g，WDCTおよびIEEE 802.11a，WDCTおよびIEEE 802.11b，WDCTおよびIEEE 802.11g，GSMおよびDECT，GSMおよびBluetooth，GSMおよびIEEE 802.11a，GSMおよびIEEE 802.11b，GSMおよびIEEE 802.11g，3GPPおよびBluetooth，3GPPおよびIEEE 802.11a，3GPPおよびIEEE 802.11bあるいは3GPPおよびIEEE 802.11gをベースとしたインタフェースとすることができる。
【００７４】
図４には、第１の「スマートホーム」シナリオによる第１のメッセージの流れ図（Message Sequence Chart）が示されている。これによれば、図１〜図３に示した通信システムＴＫＳ１，ＴＫＳ２，ＴＫＳ３において通信用送受話器ＴＫＨＡとして構成されている第３の移動局ＭＴ３のユーザがその移動局ＭＴ３を用いて、「スタンバイ」モードにあるパーソナルコンピュータＰＣをウェイクアップさせて起動させる。このために必要とされるメッセージシーケンスは図４に示されているように、第３の移動局ＭＴ３、この第３の移動局ＭＴ３とエアインタフェースＬＳＳを介して接続されＩ／ＯモバイルボックスＭＢもしくはＩ／ＯモバイルボックスカードＭＢＫとして構成された第１の移動局ＭＴ１と、この第１の移動局ＭＴ１と回線接続ＵＳＢ，ＥＴＨＥＲＮＴを介して接続され第１の内部データソース／データシンクＩ−ＤＱＳ１として構成されたパーソナルコンピュータＰＣとの間で流れる。
【００７５】
メッセージシーケンスを示すにあたり考慮されるユニットあるいはコンポーネントは以下の通りである：
（i）移動局ＭＴ３については、たとえばキーボードＴＡおよびディスプレイとして構成された表示装置ＡＶを有するユーザインタフェースＢＳＳ、ＭＴ記憶装置ＭＴ−Ｓ、ＭＴプロセッサとして構成された中央制御ユニットＭＴ−Ｐ、ならびに移動局ＭＴ３とＩ／ＯモバイルボックスＭＢとの間ではたらく共通のＭＴ／ＭＢエアインタフェースＭＴ／ＭＢ−ＬＳＳであり、これらは図示のとおり互いに接続されている。
（ii）Ｉ／ＯモバイルボックスＭＢについては、移動局ＭＴ３と共通のＭＴ／ＭＢエアインタフェースＭＴ／ＭＢ−ＬＳＳ、ＭＢプロセッサとして構成された制御ユニットＭＢ−ＰならびにＵＳＢ／ＥＴＨＥＲＮＥＴインタフェースＵＳＢ／ＥＴＨ−ＳＳであり、これらは図示のとおり互いに接続されている。
（iii）パーソナルコンピュータＰＣについては、Ｉ／ＯモバイルボックスＭＢの場合と同様、ＵＳＢ／ＥＴＨＥＲＮＥＴインタフェースＵＳＢ／ＥＴＨ−ＳＳ、パワーマネージメントＰＭ、ＰＣプロセッサとして構成された中央制御ユニットＰＣ−ＰならびにＰＣ記憶装置ＰＣ−Ｓであり、これらは図示のとおり互いに接続されている。
【００７６】
すべてのユニットもしくはコンポーネントについて有効なメッセージ流れ図の初期状態ＡＺにおいて、パーソナルコンピュータＰＣは「スタンバイ」モードにあり、この状態で移動局ＭＴ３によりウェイクアップされて起動される。この目的でユーザインタフェースＢＳＳのキーボードＴＡから、制御コマンド「ＰＣをウェイクアップして起動せよ」ＳＴＫがＭＴプロセッサＭＴ−Ｐへ伝送される。ＭＴプロセッサＭＴ−Ｐは内部コミュニケーションコネクションセットアップのため、ＭＴ／ＭＢエアインタフェースＭＴ／ＭＢ−ＬＳＳを介してＭＢプロセッサＭＢ−Ｐへ、セットアップメッセージ「内部コミュニケーションコネクション」ＡＵＭを伝送する。これに応じてＭＢプロセッサＭＢ−ＰはＭＴ／ＭＢエアインタフェースＭＴ／ＭＢ−ＬＳＳを介してＭＴプロセッサＭＴ−Ｐへ、確認メッセージＢＭを返送する。その後、ＭＴプロセッサＭＴ−Ｐから、制御コマンド「ＰＣをウェイクアップして起動せよ」ＳＴＫに属するコマンドデータ「ＰＣをウェイクアップして起動せよ」ＫＤが、ＭＴ／ＭＢエアインタフェースＭＴ／ＭＢ−ＬＳＳ、ＭＢプロセッサＭＢ−Ｐ、Ｉ／ＯモバイルボックスＭＢとパーソナルコンピュータＰＣのＵＳＢ／ＥＴＨＥＲＮＥＴインタフェースＵＳＢ／ＥＴＨ−ＳＳを介して、パワーマネージメントＰＭへ伝送される。これと同じメッセージ経路を介して逆方向でパワーマネージメントＰＭからＭＴプロセッサＭＴ−Ｐへ、応答メッセージ「ＰＣはウェイクアップされ起動された」ＡＷＭが伝送される。これに応じてＭＴプロセッサは表示データ「ＰＣはウェイクアップされ起動された」ＡＤがユーザインタフェースＢＳＳのディスプレイＡＶに与えられ、そこにおいてこのデータが表示される。ついでＭＴプロセッサＭＴ−Ｐはセットアップされていた内部コミュニケーションコネクションをキャンセルするため、ＭＴ／ＭＢエアインタフェースＭＴ／ＭＢ−ＬＳＳを介してＭＢプロセッサＭＢ−Ｐへ、キャンセルメッセージ「内部コミュニケーションコネクション」ＡＢＭを伝送し、ＭＢプロセッサＭＢ−Ｐは同じメッセージ経路を介して逆方向で、別の確認メッセージＢＭによりこのキャンセルメッセージに対し返答し、それによってコネクションがキャンセルされる。
【００７７】
図５Ａ〜図５Ｃには、第２の「スマートホーム」シナリオによる第２のメッセージ流れ図が示されている。この場合、図１〜図３に示された通信システムＴＫＳ１，ＴＫＳ２，ＴＫＳ３において通信用送受話器ＴＫＨＡとして構成された第３の移動局ＭＴ３のユーザはその移動局ＭＴ３を用いて、基地局ＢＳで終端させられたマルチメディアメッセージを表示させて処理し、新たなマルチメディアメッセージを作成する。このために必要とされるメッセージシーケンスは図５Ａ〜図５Ｃに示されているように、回線交換型ネットワークＬＶＮおよび／またはパケット交換型ネットワークＰＶＮ、回線接続ａ／ｂ，ｘＤＳＬ，ＥＴＨＥＲＮＥＴを介してこれらのネットワークＬＶＮ，ＰＶＮと接続された基地局ＢＳ、ならびにエアインタフェースＬＳＳを介して基地局ＢＳと接続された第３の移動局ＭＴ３の間で流れる。
【００７８】
メッセージシーケンスを示すにあたり考慮されるユニットあるいはコンポーネントは以下の通りである：
（i）基地局ＢＳについては、回線およびネットワークインタフェースＬＮＡ、ＢＳプロセッサとして構成された中央制御ユニットＢＳ−Ｐ、ＢＳ記憶装置ＢＳ−Ｓ、ならびに基地局ＢＳと移動局ＭＴ３の間ではたらく共通のＢＳ／ＭＴエアインタフェースＢＳ／ＭＴーＬＳＳであり、これらは図示のとおり互いに接続されている。
（ii）移動局ＭＴ３については、基地局ＢＳと共通のＢＳ／ＭＴエアインタフェースＢＳ／ＭＴーＬＳＳ、ＭＴプロセッサとして構成された中央制御ユニットＭＴ−Ｐ、ＭＴ記憶装置ＭＴ−Ｓ、ならびにたとえばキーボードＴＡおよびディスプレイとして構成された表示装置ＡＶを有するユーザインタフェースＢＳＳであり、この場合、移動局ＭＴ３の各コンポーネントは図示のとおり互いに接続されている。
【００７９】
すべてのユニットもしくはコンポーネントについて有効なメッセージ流れ図の初期状態ＡＺにおいて、マルチメディアメッセージＭＭＮを基地局ＢＳが受信し（基地局におけるメッセージの終端）、マルチメディアメッセージＭＭＮの受信を移動局ＭＴ２において表示することである。この目的で、回線交換型／パケット交換型ネットワークＬＶＮ，ＰＶＮから、マルチメディアメッセージＭＭＮが回線およびネットワークインタフェースＬＮＡを介してＢＳプロセッサＢＳ−Ｐへ伝達される。ＢＳプロセッサＢＳ−Ｐは、このマルチメディアメッセージＭＭＮに相応するＭＭＮデータＭＭＮ−ＤをＢＳ記憶装置に格納する。その後、ＢＳプロセッサＢＳ−Ｐはブロードキャストメッセージ「新たなマルチメディアメッセージ」ＢＣＭを、ＢＳ／ＭＴエアインタフェースＢＳ／ＭＴーＬＳＳを介してＭＴプロセッサＭＴ−Ｐへ送信する。ついでＭＴプロセッサＭＴ−Ｐは、表示情報「マルチメディアメッセージあり」ＡＩをユーザインタフェースＢＳＳのディスプレイＡＶに与え、そこにおいてこの情報が表示される。
【００８０】
回線およびネットワークインタフェースＬＮＡを含めてすべてのユニットもしくはコンポーネントに有効なメッセージ流れ図の第１の結果状態ＦＺ１において、基地局ＢＳで終端させられた特定の（ｎ番目の）マルチメディアメッセージＭＭＮが移動局ＭＴ３により選択され、そこに表示される。この目的で、ユーザインタフェースＢＳＳのキーボードＴＡから制御コマンド「ＭＭＮリスト」ＳＴＫがＭＴプロセッサＭＴ−Ｐへ伝送される。ＭＴプロセッサＭＴ−Ｐは問い合わせメッセージ「ＭＭＭリスト」ＡＦＭを、ＢＳ／ＭＴエアインタフェースＢＳ／ＭＴーＬＳＳを介してＢＳプロセッサＢＳ−Ｐへ送信する。この問い合わせメッセージに基づきＢＳプロセッサＢＳ−Ｐは、すべてのＭＭＮデータをＢＳ記憶装置ＢＳ−Ｓから読み出す。この読み出しプロセス後、ＢＳプロセッサＢＳ−ＰはＭＭＮデータリストＭＭＮ−ＤＬを伴う応答メッセージＡＷＭを、ＢＳ／ＭＴエアインタフェースＢＳ／ＭＴーＬＳＳを介してＭＴプロセッサＭＴ−Ｐへ送信する。ＭＴプロセッサＭＴ−Ｐにおいて、ＭＭＮデータリストＭＭＮ−ＤＬはＭＴ記憶装置ＭＴ−Ｓにバッファリングされ、これがインタフェースＢＳＳのディスプレイＡＶに与えられ、そこにおいてＭＭＮデータリストＭＭＮ−ＴＡが表示される。これに続いてユーザインタフェースＢＳＳのキーボードＴＡにより、制御コマンド「リストのうちｎ番目のＭＭＮ」ＳＴＫがＭＴプロセッサＭＴ−Ｐへ伝送される。これに応じてＭＴプロセッサＭＴ−Ｐは問い合わせメッセージ「リストのうちｎ番目のＭＭＮ」ＡＦＭを、ＢＳ／ＭＴエアインタフェースＢＳ／ＭＴーＬＳＳを介してＢＳプロセッサＢＳ−Ｐへ送信する。ＢＳプロセッサＢＳ−Ｐは受信したこの問い合わせメッセージに基づき、ｎ番目のＭＭＮデータをＢＳ記憶装置ＢＳ−Ｓから読み出す。読み出しプロセス終了後、ＢＳプロセッサＢＳ−Ｐは読み出されたｎ番目のＭＭＮデータｎ−ＭＭＮ−Ｄを、応答メッセージＡＷＭとしてＢＳ／ＭＴエアインタフェースＢＳ／ＭＴーＬＳＳを介してＭＴＭプロセッサＭＴ−Ｐへ伝送する。ＭＴプロセッサＭＴ−Ｐにより、伝達されたｎ番目のＭＭＮデータｎ−ＭＭＮ−ＤがＭＴ記憶装置ＭＴ−Ｓに記憶され、ユーザインタフェースＢＳＳのディスプレイＡＶに与えられ、そこにおいてそのデータつまりｎ番目のマルチメディアメッセージが表示される。
【００８１】
メッセージ流れ図においてこれに続いて、ユニットもしくはコンポーネントすなわちＭＴプロセッサ、ＭＴ記憶装置、ユーザインタフェース／ディスプレイおよびユーザインタフェース／キーボードに対して有効である第２の結果状態ＦＺ２において、表示されたマルチメディアメッセージたとえばｎ番目のマルチメディアメッセージが変更される。この目的で、ユーザインタフェースＢＳＳのキーボードＴＡから制御コマンド「ｎ番目のＭＭＮを変更せよ」ＳＴＫがＭＴプロセッサＭＴ−Ｐへ伝送される。制御コマンドＳＴＫの伝送に続いて、キーボードＴＡからＭＴマイクロプロセッサＭＴ−Ｐへ変更コマンドＡＥＫが伝達される。この変更コマンドＡＥＫに基づき、ＭＴプロセッサＭＴ−Ｐにより変更メッセージＡＥＮが形成され、このメッセージはＭＴ記憶装置ＭＴ−Ｓに記憶され、ユーザインタフェースＢＳＳのディスプレイＡＶに与えられ、そこにおいてこの変更メッセージＡＥＮが表示される。
【００８２】
メッセージ流れ図においてこれに続いて、やはりすべてのユニットもしくはコンポーネントに対し有効である第３の結果状態ＦＺ３において、表示されたマルチメディアメッセージたとえば変更されたｎ番目のマルチメディアメッセージに対し返答が行われる。この目的でユーザインタフェースＢＳＳのキーボードＴＡからＭＴプロセッサＭＴ−Ｐへ、制御コマンド「ｎ番目のＭＭＮに返答せよ」ＳＴＫが伝送される。制御コマンドＳＴＫの伝送に続いて、キーボードＴＡからＭＴプロセッサＭＴ−Ｐへ返答コマンドＢＡＫが伝達される。この返答コマンドＢＡＫに基づきＭＴプロセッサＭＴ−Ｐにより応答メッセージＡＷＮが形成され、これがＭＴ記憶装置ＭＴ−Ｓに記憶されてユーザインタフェースＢＳＳのディスプレイＡＶに与えられ、そこにおいてこの応答メッセージＡＷＮが表示される。ついでユーザインタフェースＢＳＳのキーボードＴＡからＭＴプロセッサＭＴ−Ｐへ、制御コマンド「応答メッセージを送信せよ」ＳＴＫが伝送される。ＭＴプロセッサＭＴ−Ｐは応答メッセージＡＷＮの応答データＡＷＤをＭＴ記憶装置ＭＴ−Ｓから読み出して、その応答データＡＷＤをＢＳ／ＭＴエアインタフェースＢＳ／ＭＴーＬＳＳおよびＢＳプロセッサＢＳ−Ｐを介して回線およびネットワークインタフェースＬＮＡへ伝送し、そこからこの応答データＡＷＤに対応する応答メッセージＡＷＮが回線交換型／パケット交換型ネットワークＬＶＮ，ＰＶＮへ送信される。
【００８３】
メッセージ流れ図においてこれに続いて、やはりすべてのユニットもしくはコンポーネントに対し有効である第４の結果状態ＦＺ４において、基地局ＢＳの記憶装置ＢＳ−Ｓのメッセージ要素もしくはメッセージコンポーネントからマルチメディアメッセージが作成され、ついで送信される。この目的でユーザインタフェースＢＳＳのキーボードＴＡからＭＴプロセッサＭＴ−Ｐへ、制御コマンド「ＭＭＮメニュー」ＳＴＫが伝送される。これに基づきＴＭプロセッサＭＴ−Ｐは問い合わせメッセージ「ＭＭＮ要素」ＡＦＭを、ＢＳ／ＭＴエアインタフェースＢＳ／ＭＴーＬＳＳを介してＢＳプロセッサＢＳ−Ｐへ送信する。この問い合わせメッセージに基づきＢＳプロセッサＢＳ−ＰはすべてのＭＭＮデータ要素をＢＳ記憶装置ＢＳ−Ｓから読み出す。この読み出しプロセス後、ＢＳプロセッサＢＳ−ＰはＭＭＮデータ要素ＭＭＮ−ＤＥを伴う応答メッセージＡＷＭを、ＢＳ／ＭＴエアインタフェースＢＳ／ＭＴーＬＳＳを介してＭＴプロセッサＭＴ−Ｐへ送信する。ＭＴプロセッサＭＴ−Ｐにおいて、ＭＭＮデータ要素ＭＭＮ−ＤＥからＭＭＮメニューＭＭＮ−Ｍが生成され、このメニューはＭＴ記憶装置ＭＴ−Ｓにバッファリングされて、ユーザインタフェースＢＳＳのディスプレイＡＶに与えられ、そこにおいてＭＭＮメニューＭＭＮ−Ｍが表示される。これに続いてユーザインタフェースＢＳＳのキーボードＴＡからＭＴプロセッサＭＴ−Ｐへ、ＭＭＮ作成コマンドＭＭＮ−ＥＫが伝送される。ＭＴプロセッサＭＴ−ＰはこのＭＭＮ作成コマンドからＭＭＮメッセージＭＭＮ−Ｎを作成し、これはＭＴ記憶装置ＭＴ−Ｓに記憶されてユーザインタフェースＢＳＳのディスプレイＡＶに与えられ、そこにおいてこのＭＭＮメッセージが表示される。これに基づきユーザインタフェースＢＳＳのキーボードＴＡからＭＴプロセッサＭＴ−Ｐへ、制御コマンド「ＭＭＮメッセージを送信せよ」ＳＴＫが伝送される。ＭＴプロセッサＭＴ−ＰはＭＭＮメッセージに対応するＭＭＮデータＭＭＮ−ＤをＭＴ記憶装置ＭＴ−Ｓから読み出し、このＭＭＮデータＭＭＮ−ＤをＢＳ／ＭＴエアインタフェースＢＳ／ＭＴーＬＳＳおよびＢＳプロセッサＢＳ−Ｐを介して回線およびネットワークインタフェースＬＮＡへ伝送し、そこからＭＭＮデータＭＭＮ−Ｄに対応するマルチメディアメッセージＭＭＮが回線交換型／パケット交換型ネットワークＬＶＮ，ＰＶＮへ送信される。
【００８４】
図６には、第３の「スマートホーム」シナリオによる第３のメッセージ流れ図が示されている。この場合、図１〜図３に示した通信システムＴＫＳ１，ＴＫＳ２，ＴＫＳ３において通信用送受話器ＴＫＨＡとして構成された第３の移動局ＭＴ３のユーザは、この移動局ＭＴ３を用いてマルチメディアメッセージを受信し、つまり移動局ＭＴ３において終端させ表示させる。このために必要とされるメッセージシーケンスは図６に示されているように、回線交換型および／またはパケット交換型ネットワークＬＶＮ，ＰＶＮと、回線接続ａ／ｂ，ｘＤＳＬ，ＥＴＨＥＲＮＥＴを介してこれらのネットワークＬＶＮ，ＰＶＮと接続された基地局ＢＳと、エアインタフェースＬＳＳを介してこの基地局ＢＳと接続された第３の移動局ＭＴ３の間で流れる。
【００８５】
メッセージシーケンスを示すにあたり考慮されるユニットまたはコンポーネントは、以下の通りである：
（i）基地局ＢＳについては、回線およびネットワークインタフェースＬＮＡ、ＢＳプロセッサとして構成された中央制御ユニットＢＳ−Ｐ、ＢＳ記憶装置ＢＳ−Ｓ、ならびに基地局ＢＳと移動局ＭＴ３の間ではたらく共通のＢＳ／ＭＴエアインタフェースＢＳ／ＭＴーＬＳＳであり、これらは図示のとおり互いに接続されている。
（ii）第３の移動局ＭＴ３については、基地局ＢＳと共通のＢＳ／ＭＴエアインタフェースＢＳ／ＭＴーＬＳＳ、たとえばモデムまたはＩＳＤＮ−Ｄチャネルとして構成されたディジタルネットワークインタフェースＤＮＡ、ＭＴプロセッサとして構成された中央制御ユニットＭＴ−Ｐ、ＭＴ記憶装置、ならびにたとえばキーボードＴＡおよびディスプレイとして構成された表示装置ＡＶを有するユーザインタフェースＢＳＳであり、この場合、移動局ＭＴ３のコンポーネントは図示のとおり互いに接続されている。
【００８６】
すべてのユニットもしくはコンポーネントに対して有効なメッセージ流れ図の初期状態ＡＺにおいて、マルチメディアメッセージＭＭＮを移動局ＭＴ３が受信し（移動局でのメッセージＭＭＮの終端）、このマルチメディアメッセージＭＭＮの受信が移動局ＭＴ３において表示される。この目的で、回線交換型／パケット交換型ネットワークＬＶＮ，ＰＶＮから回線およびネットワークインタフェースＬＮＡを介してＢＳプロセッサＢＳ−Ｐへ、マルチメディアメッセージＭＭＮが伝達され、これに基づきＢＳプロセッサＢＳ−Ｐはブロードキャストメッセージ「新たなマルチメディアメッセージ」ＢＣＭを、ＢＳ／ＭＴエアインタフェースＢＳ／ＭＴーＬＳＳおよびディジタルネットワークインタフェースＤＮＡを介してＭＴプロセッサＭＴ−Ｐへ送信する。これに続いてＭＴプロセッサＭＴ−Ｐは表示情報「マルチメディアメッセージが来ています」ＡＩをユーザインタフェースＢＳＳのディスプレイＡＶへ与え、そこにおいてこの情報が表示される。その後、ユーザインタフェースＢＳＳのキーボードＴＡからＭＴプロセッサＭＴ−Ｐへ、制御コマンド「ＭＭＮサービスセンタへのコミュニケーションコネクションをセットアップせよ」が伝送される。ＭＴプロセッサＭＴ−ＰはＭＭＮサービスセンタへのコミュニケーションコネクションをセットアップするため、セットアップメッセージ「ＭＭＮサービスセンタへのコミュニケーションコネクション」ＡＵＭを、ディジタルネットワークインタフェースＤＮＡおよびＢＳ／ＭＴエアインタフェースＢＳ／ＭＴーＬＳＳを介してＢＳプロセッサＢＳ−Ｐへ伝送する。これに基づきＢＳプロセッサＢＳ−Ｐから回線およびネットワークインタフェースＬＮＡを介して、回線交換型／パケット交換型ネットワークＬＶＮ，ＰＶＮにけるＭＭＮサービスセンタへのコミュニケーションコネクションがセットアップされる。これに応じてＢＳプロセッサＢＳ−Ｐが回線およびネットワークインタフェースＬＮＡを介して回線交換型／パケット交換型ネットワークＬＶＮ，ＰＶＮからコミュニケーションコネクションセットアップに関する確認を取得すると、ＢＳプロセッサＢＳ−Ｐは確認メッセージ「コミュニケーションコネクションセットアップ」ＢＭを、ＢＳ／ＭＴエアインタフェースＢＳ／ＭＴーＬＳＳおよびディジタルネットワークインタフェースＤＮＡを介してＭＴプロセッサＭＴ−Ｐへ送信する。
【００８７】
その後、ユーザインタフェースＢＳＳのキーボードＴＡからＭＴプロセッサＭＴ−Ｐへ、制御コマンド「マルチメディアメッセージ取り出し」ＳＴＫが伝送される。これに応じてＭＴプロセッサＭＴ−Ｐは、問い合わせメッセージ「マルチメディアメッセージの取り出し」ＡＦＭを、ディジタルネットワークインタフェースＤＮＡおよびＢＳ／ＭＴインタフェースＢＳ／ＭＴ−ＬＳＳを介してＢＳプロセッサＢＳ−Ｐへ送信する。その後、ＢＳプロセッサＢＳ−Ｐにより、回線およびネットワークインタフェースＬＮＡおよびＭＭＮサービスセンタへのコミュニケーションコネクションを介して、回線交換型／パケット交換型ネットワークＬＶＮ，ＰＶＮからマルチメディアメッセージが取り出される。これに応じてＢＳプロセッサＢＳ−Ｐが回線およびネットワークインタフェースＬＮＡを介して回線交換型／パケット交換型ネットワークＬＶＮ，ＰＶＮからＭＭＮデータＭＭＮ−Ｄを受け取ると、ＢＳプロセッサＢＳ−ＰはＭＭＮデータＭＭＮ−Ｄとともに応答メッセージを、ＢＳ／ＭＴエアインタフェースＢＳ／ＭＴ−ＬＳＳおよびディジタルネットワークインタフェースＤＮＡを介してＭＴプロセッサＭＴ−Ｐへ送信する。伝達されたＭＭＮデータＭＭＮ−ＤはＭＴプロセッサＭＴ−ＰによりＭＴ記憶装置ＭＴ−Ｓに記憶され、ユーザインタフェースＢＳＳのディスプレイＡＶへ与えられ、そこにおいてそのデータつまりマルチメディアメッセージが表示される。ついでＭＴプロセッサＭＴ−ＰはＭＭＮサービスセンタへのコミュニケーションコネクションをキャンセルするため、キャンセルメッセージ「ＭＭＮサービスセンタへのコミュニケーションコネクション」ＡＢＭを、ディジタルネットワークインタフェースＤＮＡおよびＢＳ／ＭＴエアインタフェースＢＳ／ＭＴ−ＬＳＳを介してＢＳプロセッサＢＳ−Ｐへ伝送する。これに応じてＢＳプロセッサＢＳ−Ｐは回線およびネットワークインタフェースＬＮＡを介して、回線交換型／パケット交換型ネットワークＬＶＮ，ＰＶＮにおけるＭＭＮサービスセンタへのコミュニケーションコネクションをキャンセルする。その後、ＢＳプロセッサＢＳ−Ｐが回線およびネットワークインタフェースＬＮＡを介して回線交換型／パケット交換型ネットワークＬＶＮ，ＰＶＮからコミュニケーションコネクションキャンセルの確認を受け取ると、ＢＳプロセッサＢＳ−Ｐは確認メッセージ「コミュニケーションコネクションキャンセル」ＢＭを、ＢＳ／ＭＴエアインタフェースＢＳ／ＭＴ−ＬＳＳおよびディジタルネットワークインタフェースＤＮＡを介してＭＴプロセッサＭＴ−Ｐへ送信し、それによってこのコネクションがキャンセルされる。
【００８８】
図７Ａおよび図７Ｂには、第４の「スマートホーム」シナリオによる第４のメッセージ流れ図が示されている。この場合、図１〜図３に示された通信システムＴＫＳ１，ＴＫＳ２，ＴＫＳ３において通信用送受話器ＴＫＨＡとして構成された第３の移動局ＭＴ３のユーザは、所定の（ｎ番目の）マルチメディアメッセージをこの第３の移動局ＭＴ３から他の移動局へ、たとえば第１の移動局ＭＴ１、第２の移動局ＭＴ２またはさらに別の第３の移動局ＭＴ３へ内部伝送する。このために必要とされるメッセージシーケンスは図７Ａおよび図７Ｂに示されているように、第３の移動局ＭＴ３と、この移動局ＭＴ３とエアインタフェースＬＳＳを介して（ポイント・ツー・ポイントコネクションにより）直接、あるいは基地局ＢＳを介して間接的に接続された他の移動局ＭＴ１，ＭＴ２，ＭＴ３との間で流れる。
【００８９】
メッセージシーケンスを示すにあたり考慮されるユニットあるいはコンポーネントは以下の通りである：
（i）移動局ＭＴ３については、たとえばキーボードＴＡおよびディスプレイとして構成された表示装置ＡＶを有するユーザインタフェースＢＳＳ、ＭＴ記憶装置ＭＴ−Ｓ、ＭＴプロセッサとして構成された中央制御ユニットＭＴ−Ｐ、ならびに移動局ＭＴ３と別の移動局ＭＴ１，ＭＴ２，ＭＴ３との間で動作する共通のＭＴ／ＭＴエアインタフェースＭＴ／ＭＴ−ＬＳＳであり、これらは図示のとおり互いに接続されている。
（ii）他の移動局ＭＴ１，ＭＴ２，ＭＴ３については、第３の移動局ＭＴ３と共通のＭＴ／ＭＴエアインタフェースＭＴ／ＭＴ−ＬＳＳ、ＭＴプロセッサとして構成された中央制御ユニットＭＴ−Ｐ、ＭＴ記憶装置ＭＴ−Ｓ、ならびにたとえばキーボードＴＡおよびディスプレイとして構成された表示装置ＡＶを有するユーザインタフェースＢＳＳであり、この場合、移動局ＭＴ３の各コンポーネントは図示のとおり互いに接続されている。
【００９０】
すべてのユニットもしくはコンポーネントについて有効なメッセージ流れ図の初期状態ＡＺにおいて、ｎ番目のマルチメディアメッセージＭＭＮが第３の移動局ＭＴ３から他の移動局ＭＴ１，ＭＴ２，ＭＴ３へ内部伝送される。この目的で、ユーザインタフェースＢＳＳのキーボードＴＡから制御コマンド「ＭＭＮリスト」ＳＴＫがＭＴプロセッサＭＴ−Ｐへ伝送される。これに基づきＭＴプロセッサＭＴ−Ｐは、すべてのＭＭＮデータをＭＴ記憶装置ＭＴ−Ｓから読み出す。この読み出し後、ＭＴプロセッサＭＴ−ＰはＭＭＮリストＭＭＮ−ＬをユーザインタフェースＢＳＳのディスプレイＡＶに与え、そこにおいてこのＭＭＮリストＭＭＮ−Ｌが表示される。ついでユーザインタフェースＢＳＳのキーボードＴＡから、制御コマンド「リストのうちｎ番目のＭＭＮ」ＳＴＫがＭＴプロセッサＭＴ−Ｐへ伝送される。これに応じてＭＴプロセッサＭＴ−Ｐは、ｎ番目のＭＭＮデータｎーＭＭＮ−ＤをＭＴ記憶装置ＭＴ−Ｓから読み出す。読み出しプロセス終了後、ＭＴプロセッサＭＴ−Ｐは読み出されたＭＭＮデータｎ−ＭＭＮ−ＤをユーザインタフェースＢＳＳのディスプレイＡＶに与え、そこにおいてそのデータが表示される。その後、ユーザインタフェースＢＳＳのキーボードＴＡからＭＴプロセッサＭＴ−Ｐへ、制御コマンド「ｎ番目のＭＭＮデータを他の移動局へ送信せよ」ＳＴＫが伝送される。ＭＴプロセッサＭＴ−Ｐは内部コミュニケーションコネクションをセットアップするためセットアップメッセージ「内部コミュニケーションコネクション」ＡＵＭを、ＭＴ／ＭＴエアインタフェースＭＴ／ＭＴ−ＬＳＳを介して他の移動局ＭＴ１，ＭＴ２，ＭＴ３のＭＴプロセッサＭＴ−Ｐへ伝送する。これに基づきこのＭＴプロセッサＭＴ−Ｐは、ＭＴ／ＭＴエアインタフェースＭＴ／ＭＴ−ＬＳＳを介して第３の移動局ＭＴ３のＭＴプロセッサＭＴ−Ｐへ確認応答メッセージＢＭを送り戻す。これに応じてＭＴプロセッサＭＴ−Ｐは問い合わせメッセージ「ｎ番目のＭＭＮデータを伝送？」ＡＦＭを、ＭＴ／ＭＴエアインタフェースＭＴ／ＭＴ−ＬＳＳを介して他の移動局ＭＴ１，ＭＴ２，ＭＴ３のＭＴプロセッサＭＴ−Ｐへ送信する。このＭＴプロセッサＭＴ−Ｐは応答として応答メッセージ「了解」ＡＷＭを、ＭＴ／ＭＴエアインタフェースＭＴ／ＭＴ−ＬＳＳを介して第３の移動局ＭＴ３のＭＴプロセッサＭＴ−Ｐへ送り戻す。この応答メッセージＡＷＭに基づきＭＴプロセッサＭＴ−Ｐは、ｎ番目のＭＭＮデータｎ−ＭＭＮ−ＤをＭＴ記憶装置ＭＴ−Ｓから読み出す。この読み出しプロセス後、ＭＴプロセッサＭＴ−Ｐはｎ番目のＭＭＮデータｎ−ＭＭＮ−Ｄとともに伝送メッセージＵＭを、ＭＴ／ＭＴエアインタフェースＭＴ／ＭＴ−ＬＳＳを介して他の移動局ＭＴ１，ＭＴ２，ＭＴ３のＭＴプロセッサＭＴ−Ｐへ送信する。このＭＴプロセッサＭＴ−Ｐによりｎ番目のＭＭＮデータｎ−ＭＭＮ−ＤがＭＴ記憶装置ＭＴ−Ｓに記憶され、場合によってはユーザインタフェースＢＳＳのディスプレイＡＶに与えられて、そこにおいてこのデータを表示させることができる。これに続いて、ＭＴプロセッサＭＴ−Ｐから確認メッセージ「データを取得」ＢＭが、ＭＴ／ＭＴエアインタフェースＭＴ／ＭＴ−ＬＳＳを介して第３の移動局ＭＴ３のＭＴプロセッサＭＴ−Ｐへ送信される。受信したこの確認メッセージＢＭに基づきＭＴプロセッサＭＴ−Ｐは表示情報「ｎ番目のＭＭＮデータの伝送に成功しました」ＡＩを、第３の移動局ＭＴ３におけるユーザインタフェースＢＳＳのディスプレイＡＶに与え、そこにおいてこの情報が表示される。その後、ユーザインタフェースＢＳＳのキーボードＴＡから第３の移動局ＭＴ３のＭＴプロセッサＭＴ−Ｐへ制御コマンド「コネクションを終了せよ」ＳＴＫが伝送され、これに基づきＭＴプロセッサＭＴ−Ｐはセットアップされていた内部コミュニケーションコネクションをキャンセルするためキャンセルメッセージ「内部コミュニケーションコネクション」ＡＢＭを、ＭＴ／ＭＴエアインタフェースＭＴ／ＭＴ−ＬＳＳを介して他の移動局ＭＴ１，ＭＴ２，ＭＴ３のＭＴプロセッサＭＴ−Ｐへ送信し、他の移動局ＭＴ１，ＭＴ２，ＭＴ３はこのキャンセルメッセージに対し逆方向で同じメッセージ経路を介して別の確認メッセージＢＭを用いて返答し、これによってコネクションがキャンセルされる。
【００９１】
図８Ａ〜図８Ｄには、第５の「スマートホーム」シナリオによる第５のメッセージ流れ図が示されている。この場合、図１〜図３において通信用送受話器ＴＫＨＡとして構成された第３の移動局ＭＴ３のユーザが、パーソナルコンピュータＰＣに格納されているビデオ映画をテレビジョン装置ＦＡのところで見る。このために必要とされるメッセージシーケンスは図８Ａ〜図８Ｄに示されているように、第３の移動局ＭＴ３と、この第３の移動局とエアインタフェースＬＳＳを介して（ポイント・ツー・コネクションにより）直接、または基地局ＢＳを介して間接的に接続され図１〜図３に示したようにＩ／ＯモバイルボックスカードＭＢＫが組み込まれているパーソナルコンピュータＰＣと、このパーソナルコンピュータＰＣとエアインタフェースＬＳＳを介して接続されていＩ／ＯモバイルボックスＭＢと、ライン接続ＳＣＡＲＴ，Ｓ−ＶＩＤＥＯを介してＩ／ＯモバイルボックスＭＢと接続されているテレビジョン装置ＦＡとの間で流れる。
【００９２】
メッセージシーケンスを示すにあたり考慮されるユニットあるいはコンポーネントは以下の通りである：
（i）移動局ＭＴ３については、たとえばキーボードＴＡおよびディスプレイとして構成された表示装置ＡＶを有するユーザインタフェースＢＳＳ、ＭＴ記憶装置ＭＴ−Ｓ、ＭＴプロセッサとして構成された中央制御ユニットＭＴ−Ｐ、ならびにＩ／ＯモバイルボックスカードＭＢＫの組み込まれたパーソナルコンピュータＰＣと移動局ＭＴ３との間で動作する共通のＰＣ／ＭＴエアインタフェースＰＣ／ＭＴ−ＬＳＳであり、これらは図示のとおり互いに接続されている。
（ii）Ｉ／ＯモバイルボックスカードＭＢＫの組み込まれたパーソナルコンピュータＰＣについては、移動局ＭＴ３と共通のＰＣ／ＭＴエアインタフェースＰＣ／ＭＴ−ＬＳＳ、ＭＴプロセッサとして構成された中央制御ユニットＭＴ−Ｐ、ＰＣ記憶装置ＰＣ−Ｓ、ならびにＩ／ＯモバイルボックスカードＭＢＫの組み込まれたパーソナルコンピュータＰＣとＩ／ＯモバイルボックスＭＢとの間で動作する共通のＰＣ／ＭＢエアインタフェースＰＣ／ＭＢ−ＬＳＳであり、これらは図示のとおり互いに接続されている。
（iii）Ｉ／ＯモバイルボックスＭＢについては、Ｉ／ＯモバイルボックスカードＭＢＫの組み込まれたパーソナルコンピュータＰＣと共通のＰＣ／ＭＢエアインタフェースＰＣ／ＭＢ−ＬＳＳ、ＭＢプロセッサとして構成された中央制御ユニットＭＢ−Ｐ、ＭＢ記憶装置ＭＢ−Ｓ、ならびにＩ／ＯモバイルボックスＭＢとテレビジョン装置ＦＡとの間で動作する共通のデータインタフェースＤＳＳであり、これらは図示のとおり互いに接続されている。
（iv）テレビジョン装置ＦＡについては、Ｉ／ＯモバイルボックスＭＢと共通のデータインタフェースＤＳＳ、ＦＡプロセッサとして構成された中央制御ユニットＦＡ−Ｐ、ならびにＦＡスクリーンＦＡ−Ｂであり、これらは図示のとおり互いに接続されている。
【００９３】
メッセージ流れ図の全てのユニットないしはコンポーネントに対して有効な選択的な事前状態ＶＺにおいては、パーソナルコンピュータ（ＰＣ）も、テレビジョン装置ＦＡも「スタンバイ」モードにあり、この状態において移動局ＭＴ３から、図４に示されたウェイクアッププロシージャに従ってウェイクアップされて起動される。これに続く、全てのユニットないしコンポーネントに対して有効な、メッセージ流れ図の初期状態ＡＺにおいては、パーソナルコンピュータＰＣ内に格納されているビデオ映画がテレビジョン装置ＦＡで出力される。このためにはユーザインタフェースＢＳＳのキーボードＴＡによって制御コマンド「ビデオリスト」ＳＴＫがＭＴプロセッサＭＴ−Ｐから伝送される。ＭＴプロセッサＭＴ−Ｐは問い合わせメッセージ「ビデオリスト」ＡＦＭを、ＰＣ／ＭＴエアインタフェースＰＣ／ＭＴ−ＬＳＳを介してＰＣプロセッサＰＣ−Ｐへ伝送する。このような問い合わせメッセージＡＦＭに基づいて、ＰＣプロセッサＰＣ−Ｐは、ＰＣ記憶装置ＰＣ−Ｓから全ビデオデータを読み出す。このような読み出し過程の後に、ＰＣプロセッサＰＣ−Ｐは、応答メッセージＡＷＭをビデオデータリストＶＤＬとともに、ＰＣ／ＭＴエアインタフェースＰＣ／ＭＴ−ＬＳＳを介してＭＴプロセッサＭＴ−Ｐに送信する。ＭＴプロセッサＭＴ−Ｐ内では、ビデオデータリストＶＤＬがＭＴ記憶装置ＭＴ−Ｓにバッファリングされ、ユーザインタフェースＢＳＳのディスプレイＡＶに与えられ、ここでビデオデータリストＶＤＬが表示される。これに続いて、ユーザインタフェースＢＳＳのキーボードＴＡによって制御コマンド「ビデオリストのうちｎ番目のビデオをテレビジョン装置で出力するため対応するＩ／Ｏモバイルボックスに伝送せよ」ＳＴＫがＭＴプロセッサＭＴ−Ｐへ伝送される。ＭＴプロセッサＭＴ−Ｐは、これに続いて、要求メッセージ「ビデオリストのうちｎ番目のビデオをテレビジョン装置で出力するため対応するＩ／Ｏモバイルボックスに伝送せよ」ＡＦＦＮを、ＰＣ／ＭＴエアインタフェースＰＣ／ＭＴ−ＬＳＳを介してＰＣプロセッサＰＣ−Ｐへ送信する。この要求メッセージＡＦＦＭの伝送に続いて、ＰＣプロセッサＰＣ−Ｐから問い合わせメッセージ「テレビジョン装置におけるビデオ出力」ＡＦＭがＰＣ／ＭＢエアインタフェースＰＣ／ＭＢ−ＬＳＳを介して、ＭＢプロセッサＭＢ−Ｐへ送信される。これに続いてＭＢプロセッサＭＢ−Ｐは情報メッセージ「テレビジョン装置におけるビデオ出力」ＩＮＭをデータインタフェースＤＳＳを介してＦＡプロセッサＦＡ−Ｐへ伝送する。このような情報メッセージＩＮＭの送信後、ＭＢプロセッサＭＢ−Ｐから応答メッセージ「ビデオ出力準備完了」ＡＷＮがＰＣ／ＭＢエアインタフェースＰＣ／ＭＢ−ＬＳＳを介してＰＣプロセッサＰＣ−Ｐへ送信される。
【００９４】
これに続く、ユニットないしコンポーネント「ＰＣプロセッサおよびＰＣ記憶装置」に対して有効な、メッセージ流れ図の第１の結果状態ＦＺ１において、伝送されるべきデータ量およびエアインタフェースの伝送レートに応じて、データが分けて伝送される。このためにＰＣプロセッサＰＣ−Ｐは、ｎ番目のビデオデータの第１の部分Ｐ１−ｎ−ＶＤを、ＰＣ−記憶装置ＰＣ−Ｓから読み出す。ｎ番目のビデオデータのこの第１の部分Ｐ１−ｎ−ＶＤの読み出し過程後に、ｎ番目のビデオデータの第１の部分Ｐ１−ｎ−ＶＤがＰＣプロセッサＰＣ−ＰからＰＣ／ＭＢエアインタフェースＰＣ／ＭＢ−ＬＳＳを介して、ＭＢプロセッサＭＢ−Ｐへ伝送される。ここではこの第１の部分が、ＭＢプロセッサＭＢ−ＰからバッファリングのためＭＢ記憶装置ＭＢ−Ｓへ伝送され、引き続き、テレビジョン装置ＦＡのＦＡスクリーンＦＡ−Ｂ上での表示のために、データインタフェースＤＳＳを介してＦＡプロセッサＦＡ−Ｐへ転送される。
【００９５】
これに続く、全てのユニットないしコンポーネントに対する有効な、メッセージ流れ図の第２の結果状態ＦＺ２において、テレビジョン装置ＦＡでのビデオ映画の再生が、移動局のユーザインタフェースＢＳＳ上でのコントロールコマンドのユーザ入力によって制御される。この種のコマンドは、例えば再生の送りおよび戻し、停止、終了、続行等である。このためにＭＢプロセッサＭＢ−Ｐから問い合わせメッセージ「次のビデオデータ」ＡＦＭがＰＣ／ＭＢエアインタフェースＰＣ／ＭＢ−ＬＳＳを介してＰＣプロセッサＰＣ−Ｐへ送信される。この問い合わせメッセージＡＦＭに基づいて、ＰＣプロセッサＰＣ−Ｐはｎ番目のビデオデータの第２の部分Ｐ２−ｎ−ＶＤを、ＰＣ記憶装置ＰＣ−Ｐから読み出す。ｎ番目のビデオデータのこの第２の部分Ｐ２−ｎ−ＶＤの読み出し過程後に、ｎ番目のビデオデータの第２の部分Ｐ２−ｎ−ＶＤがＰＣプロセッサＰＣ−ＰからＰＣ／ＭＢエアインタフェースＰＣ／ＭＢ−ＬＳＳを介して、ＭＢプロセッサＭＢ−Ｐへ伝送される。ここでこの第２の部分がＭＢプロセッサＭＢ−ＰからバッファリングのためＭＢ−記憶装置ＭＢ−Ｓへ伝送され、引き続き、テレビジョン装置ＦＡのＦＡスクリーンＦＡ−Ｂ上での表示のために、データインタフェースＤＳＳを介してＦＡプロセッサＦＡ−Ｐへ転送される。
【００９６】
これに続く、全てのユニットないしコンポーネントに対する有効な、メッセージ流れ図の第３の結果状態ＦＺ３において、テレビジョン装置ＦＡでのビデオ映画の再生が、移動局のユーザインタフェースＢＳＳ上でのコントロールコマンドのユーザ入力によって制御される。この種のコマンドは、例えば再生の送りおよび戻し、停止、終了、続行等である。このために、ＭＢプロセッサＭＢ−Ｐから問い合わせメッセージ「次のビデオデータ」ＡＦＭがＰＣ／ＭＢエアインタフェースＰＣ／ＭＢ−ＬＳＳを介してＰＣ−プロセッサＰＣ−Ｐへ送信される。この問い合わせメッセージＡＦＭに基づいて、ＰＣプロセッサＰＣ−Ｐはｎ番目のビデオデータのｍ番目の部分Ｐｍ−ｎ−ＶＤを、ＰＣ記憶装置ＰＣ−Ｓから読み出す。ｎ番目のビデオデータのこのｍ番目の部分Ｐｍ−ｎ−ＶＤの読み出し過程後に、ｎ番目のビデオデータのｍ番目の部分Ｐｍ−ｎ−ＶＤがＰＣプロセッサＰＣ−ＰからＰＣ／ＭＢエアインタフェースＰＣ／ＭＢ−ＬＳＳを介して、ＭＢプロセッサＭＢ−Ｐへ伝送される。ここではこのｍ番目の部分がＭＢプロセッサからバッファリングのためＭＢ記憶装置ＭＢ−Ｓへ伝送され、引き続き、テレビジョン装置ＦＡのＦＡスクリーンＦＡ−Ｂ上での表示のために、データインタフェースＤＳＳを介してＦＡプロセッサＦＡ−Ｐへ転送される。
【００９７】
これに続く、全てのユニットないしコンポーネントに対する有効な、メッセージ流れ図の第４の結果状態ＦＺ４において、テレビジョン装置ＦＡでのビデオ映画の再生が、移動局のユーザインタフェースＢＳＳ上でのコントロールコマンドのユーザ入力によって制御される。この種のコマンドは、例えば再生の送りおよび戻し、停止、終了、続行等である。このために、ＭＢプロセッサＭＢ−Ｐから問い合わせメッセージ「次のビデオデータ」ＡＦＭがＰＣ／ＭＢエアインタフェースＰＣ／ＭＢ−ＬＳＳを介してＰＣプロセッサＰＣ−Ｐへ送信される。この問い合わせメッセージＡＦＭに基づいて、ＰＣプロセッサＰＣ−Ｐから応答メッセージ「伝送終了」ＡＷＭがＰＣ／ＭＢエアインタフェースを介してＭＢプロセッサＭＢ−Ｐへ伝送される。ＭＢプロセッサＭＢ−Ｐはこれに続いて情報メッセージ「ビデオ出力終了」をデータインタフェースＤＳＳを介してＦＡプロセッサＦＡ−Ｐへ送信する。
【００９８】
図９ａ〜９ｄには、第６の「スマートホーム」シナリオに従った第６のメッセージ流れ図が示されている。ここでは、図１〜図３に示された通信システムＴＫＳ１，ＴＫＳ２，ＴＫＳ３の、通信用送受話器ＴＫＨＡとして構成された第３の移動局ＭＴ３のユーザは、１つまたは複数のパーソナルコンピュータＰＣに格納されているＭＰ３ファイルをハイファイ装置ＨＡに出力する。このために必要なメッセージシーケンスは、図９ａ〜９ｄに従って、第３の移動局ＭＴ３と、この第３の移動局とエアインタフェースＬＳＳを介して直接的に（ポイント・ツー・ポイントコネクション）または間接的に基地局ＢＳを介して接続されており、図１〜３に従って統合されたＩ／Ｏモバイルボックスカードを有するパーソナルコンピュータＰＣと、このパーソナルコンピュータＰＣとエアインタフェースＬＳＳを介して接続されているＩ／ＯモバイルボックスＭＢと、このＩ／ＯモバイルボックスＭＢと回線接続CINCH，S/PDIFを介して接続されているハイファイ装置ＨＡの間で流れる。
【００９９】
メッセージシーケンスを示すにあたり考慮されるユニットあるいはコンポーネントは以下の通りである：
（i）移動局ＭＴ３については、たとえばキーボードＴＡおよびディスプレイとして構成された表示装置ＡＶを有するユーザインタフェースＢＳＳ、ＭＴ記憶装置ＭＴ−Ｓ、ＭＴプロセッサとして構成された中央制御ユニットＭＴ−Ｐ、ならびに移動局ＭＴ３と統合されたＩ／ＯモバイルボックスカードＭＢKを有するパーソナルコンピュータＰＣとの間で働く共通のＰＣ／ＭＴエアインタフェースＰＣ／ＭＴ−ＬＳＳであり、これらは図示のとおり互いに接続されている。
（ii）Ｉ／ＯモバイルボックスカードＭＢＫが統合されているパーソナルコンピュータＰＣについては、移動局ＭＴ３と共通のＰＣ／ＭＴエアインタフェースＰＣ／ＭＴ−ＬＳＳ、ＭＴプロセッサとして構成された中央制御ユニットＭＴ−Ｐ、ＰＣ記憶装置ＰＣ−Ｓと、並びにＩ／ＯモバイルボックスカードＭＢＫが統合されているパーソナルコンピュータＰＣとＩ／ＯモバイルボックスＭＢとの間で働く共通のＰＣ／ＭＢエアインタフェースＰＣ／ＭＢ−ＬＳＳであり、これらは図示のとおり互いに接続されている。
（iii）Ｉ／ＯモバイルボックスＭＢについては、Ｉ／ＯモバイルボックスカードＭＢＫが統合されているパーソナルコンピュータＰＣと共通のＰＣ／ＭＢエアインタフェースＰＣ／ＭＢ−ＬＳＳ、ＭＢプロセッサとして構成されている中央制御ユニットＭＢ−Ｐ、ＭＢ記憶装置ＭＢ−Ｓ、並びにＩ／ＯモバイルボックスＭＢとテレビジョン装置ＦＡの間で働く共通のデータインタフェースＤＳＳであり、これらは図示のとおり互いに接続されている。
（iv）ハイファイ装置については、Ｉ／ＯモバイルボックスＭＢと共通のデータインタフェースＤＳＳ、ＨＡプロセッサとして構成されている中央制御ユニットＨＡ−Ｐ、並びにＥ／ＡコンバータＥ／Ａ−Ｗであり、これらは図示のとおり互いに接続されている。
【０１００】
メッセージ流れ図の、全てのユニットないしコンポーネントに対して有効な選択的事前状態ＶＺにおいては、パーソナルコンピュータＰＣもハイファイ装置ＨＡも「スタンバイ」モードにあり、この状態において移動局ＭＴ３によって、図４に示されたウェイクアッププロシージャに従ってウェイクアップされて起動される。これに続く、全てのユニットないしコンポーネントに対して有効な、メッセージ流れ図の初期状態ＡＺにおいては、パーソナルコンピュータＰＣ内に格納されているＭＰ３ファイルがハイファイ装置ＨＡに出力される。このためにはユーザインタフェースＢＳＳのキーボードＴＡによって制御コマンド「ＭＰ３リスト」ＳＴＫがＭＴプロセッサＭＴ−Ｐから伝送される。ＭＴプロセッサＭＴ−Ｐは問い合わせメッセージ「ＭＰ３リスト」ＡＦＭを、ＰＣ／ＭＴエアインタフェースＰＣ／ＭＴ−ＬＳＳを介してＰＣプロセッサＰＣ−Ｐへ伝送する。この問い合わせメッセージＡＦＭに基づいて、ＰＣプロセッサＰＣ−Ｐは、ＰＣ記憶装置ＰＣ−Ｓから全ＭＰ３データを読み出す。この読み出し過程の後に、ＰＣプロセッサＰＣ−Ｐは、応答メッセージＡＷＭをＭＰ３リストＭＰ３−ＤＬとともに、ＰＣ／ＭＴエアインタフェースＰＣ／ＭＴ−ＬＳＳを介して、ＭＴプロセッサＭＴ−Ｐに送信する。ＭＴプロセッサＭＴ−Ｐ内では、ＭＰ３データリストＭＰ３−ＤＬがＭＴ記憶装置ＭＴ−Ｓにバッファリングされ、ユーザインタフェースＢＳＳのディスプレイＡＶに出力される。ここでＭＰ３データリストＭＰ３−ＤＬが表示される。これに続いて、ユーザインタフェースＢＳＳのキーボードＴＡによって制御コマンド「ＭＰ３リストのうちｎ番目のＭＰ３ファイルをハイファイ装置で出力するため対応するＩ／Ｏモバイルボックスへ伝送せよ」ＳＴＫがＭＴプロセッサＭＴ−Ｐへ伝送される。ＭＴプロセッサＭＴ−Ｐは、これに続いて、要求メッセージ「ＭＰ３リストのうちのｎ番目のＭＰ３ファイルをハイファイ装置で出力するため対応するＩ／Ｏモバイルボックスへ伝送せよ」ＡＦＦＮを、ＰＣ／ＭＴエアインタフェースＰＣ／ＭＴ−ＬＳＳを介してＰＣプロセッサＰＣ−Ｐへ送信する。この要求メッセージＡＦＦＭの伝送に続いて、ＰＣプロセッサＰＣ−Ｐから問い合わせメッセージ「ハイファイ装置におけるＭＰ３出力」ＡＦＭがＰＣ／ＭＢエアインタフェースＰＣ／ＭＢ−ＬＳＳを介して、ＭＢプロセッサＭＢ−Ｐへ送信される。これに続いてＭＢプロセッサＭＢ−Ｐは情報メッセージ「ハイファイ装置におけるＭＰ３出力」ＩＮＭをデータインタフェースＤＳＳを介してＨＡプロセッサＨＡ−Ｐへ伝送する。この情報メッセージＩＮＭの送信後、ＭＢプロセッサＭＢ−Ｐから応答メッセージ「ＭＰ３出力準備完了」ＡＷＮがＰＣ／ＭＢエアインタフェースＰＣ／ＭＢ−ＬＳＳを介してＰＣプロセッサＰＣ−Ｐへ送信される。
【０１０１】
これに続く、ユニットないしコンポーネント「ＰＣプロセッサおよびＰＣ記憶装置」に対して有効な、メッセージ流れ図の第１の結果状態ＦＺ１において、伝送すべきデータ量およびエアインタフェースの伝送レートに応じて、データが分けて伝送される。このためにＰＣプロセッサＰＣ−Ｐは、ｎ番目のＭＰ３データの第１の部分Ｐ１−ｎ−ＭＰ３−Ｄを、ＰＣ記憶装置ＰＣ−Ｓから読み出す。ｎ番目のＭＰ３データのこの第１の部分Ｐ１−ｎ−ＭＰ３−Ｄの読み出し過程後に、ｎ番目のＭＰ３データの第１の部分Ｐ１−ｎ−ＭＰ３−ＤがＰＣプロセッサＰＣ−ＰからＰＣ／ＭＢ−エアインタフェースＰＣ／ＭＢ−ＬＳＳを介して、ＭＢプロセッサＭＢ−Ｐへ伝送される。ここではこの第１の部分がＭＢプロセッサからバッファリングのためにＭＢ記憶装置ＭＢ−Ｓへ伝送され、引き続き、ハイファイ装置ＨＡのＥ／ＡコンバータＥ／Ａ−Ｗでの出力のために、データインタフェースＤＳＳを介してＨＡプロセッサＨＦＡ−Ｐへ転送される。
【０１０２】
これに続く、全てのユニットないしコンポーネントに対する有効な、メッセージ流れ図の第２の結果状態ＦＺ２において、ハイファイ装置ＨＡでのＭＰ３ファイルの再生が、移動局のユーザインタフェースＢＳＳ上でのコントロールコマンドのユーザ入力によって制御される。この種のコマンドは、例えば再生の送りおよび戻し、停止、終了、続行等である。このためにＭＢプロセッサＭＢ−Ｐから問い合わせメッセージ「次のＭＰ３データ」ＡＦＭがＰＣ／ＭＢエアインタフェースＰＣ／ＭＢ−ＬＳＳを介してＰＣプロセッサＰＣ−Ｐへ送信される。この問い合わせメッセージＡＦＭに基づいて、ＰＣプロセッサＰＣ−Ｐはｎ番目のＭＰ３データの第２の部分Ｐ２−ｎ−ＭＰ３−Ｄを、ＰＣ記憶装置ＰＣ−Ｓから読み出す。ｎ番目のＭＰ３データのこの第２の部分Ｐ２−ｎ−ＭＰ３−Ｄの読み出し過程後に、ｎ番目のＭＰ３データの第２の部分Ｐ２−ｎ−ＭＰ３−ＤがＰＣプロセッサＰＣ−ＰからＰＣ／ＭＢエアインタフェースＰＣ／ＭＢ−ＬＳＳを介して、ＭＢプロセッサＭＢ−Ｐへ伝送される。ここではこの第２の部分がＭＢプロセッサからバッファリングのために、ＭＢ−記憶装置ＭＢ−Ｓへ伝送され、引き続き、ハイファイ装置のＥ／ＡコンバータＥ／Ａ−Ｗでの出力のために、データインタフェースＤＳＳを介してＨＡプロセッサＨＡ−Ｐへ転送される。
【０１０３】
これに続く、全てのユニットないしコンポーネントに対する有効な、メッセージ流れ図の第３の結果状態ＦＺ３において、ハイファイ装置ＨＡでのＭＰ３ファイルの再生が、移動局のユーザインタフェースＢＳＳ上でのコントロールコマンドのユーザ入力によって制御される。この種のコマンドは、例えば再生の送りおよび戻し、停止、終了、続行等である。このために、ＭＢプロセッサＭＢ−Ｐから問い合わせメッセージ「次のＭＰ３データ」ＡＦＭがＰＣ／ＭＢエアインタフェースＰＣ／ＭＢ−ＬＳＳを介してＰＣプロセッサＰＣ−Ｐへ送信される。この問い合わせメッセージＡＦＭに基づいて、ＰＣプロセッサＰＣ−Ｐはｎ番目のＭＰ３データのｍ番目の部分Ｐｍ−ｎ−ＭＰ３−Ｄを、ＰＣ記憶装置ＰＣ−Ｓから読み出す。ｎ番目のＭＰ３データのこのｍ番目の部分Ｐｍ−ｎ−ＭＰ３−Ｄの読み出し過程後に、ｎ番目のＭＰ３データのｍ番目の部分Ｐｍ−ｎ−ＭＰ３−ＤがＰＣプロセッサＰＣ−ＰからＰＣ／ＭＢエアインタフェースＰＣ／ＭＢ−ＬＳＳを介して、ＭＢプロセッサＭＢ−Ｐへ伝送される。ここでこのｍ番目の部分がＭＢプロセッサからバッファリングのためにＭＢ−記憶装置ＭＢ−Ｓへ伝送され、引き続き、ハイファイ装置のＥ／ＡコンバータＥ／A−Wでの出力のために、データインタフェースＤＳＳを介してHＡプロセッサHＡ−Ｐへ転送される。
【０１０４】
これに続く、全てのユニットないしコンポーネントに対する有効な、メッセージ流れ図の第４の結果状態ＦＺ４において、ハイファイ装置ＨＡでのＭＰ３フィルムの再生が、移動局のユーザインタフェースＢＳＳ上でのコントロールコマンドのユーザ入力によって制御される。この種のコマンドは、例えば再生の送りおよび戻し、停止、終了、続行等である。このために、ＭＢプロセッサＭＢ−Ｐから問い合わせメッセージ「次のＭＰ３データ」ＡＦＭがＰＣ／ＭＢエアインタフェースＰＣ／ＭＢ−ＬＳＳを介してＰＣプロセッサＰＣ−Ｐへ送信される。この問い合わせメッセージＡＦＭに基づいて、ＰＣプロセッサＰＣ−Ｐから応答メッセージ「伝送終了」ＡＷＭがＰＣ／ＭＢエアインタフェースＰＣ／ＭＢ−ＬＳＳを介してＭＢプロセッサＭＢ−Ｐへ伝送される。ＭＢプロセッサＭＢ−Ｐはこれに続いて情報メッセージ「ＭＰ３出力終了」をデータインタフェースＤＳＳを介してＨＡプロセッサＨＡ−Ｐへ送信する。
【０１０５】
図１０ａ〜１０ｃには、第７の「スマートホーム」シナリオに従った第７のメッセージ流れ図が示されている。ここでは、図１〜図３に示された通信システムＴＫＳ１，ＴＫＳ２，ＴＫＳ３の、通信用送受話器ＴＫＨＡとして構成された第３の移動局ＭＴ３のユーザは、移動局ＭＴ３を通じて、テレビジョン番組の開始およびコマーシャルブレークによるテレビジョン番組の中断に関して情報が与えられる。このために必要なメッセージシーケンスは図１０ａ〜１０ｃに従って、第３の移動局ＭＴ３と、この第３の移動局とエアインタフェースＬＳＳを介して直接的に（ポイント・ツー・ポイントコネクション）または間接的に基地局ＢＳを介して接続されており、接続されているテレビジョン装置ＦＡを有するセットトップボックスＳＴＢと、ＤＶＢ−Ｔ／Ｓ／Ｔ−ネットワークへの接続部ＤＶＢＮの間で流れる。
【０１０６】
メッセージシーケンスを示すにあたり考慮されるユニットあるいはコンポーネントは以下の通りである：
（i）移動局ＭＴ３については、例えばＥ／ＡコンバータＥ／Ａ−Ｗ、キーボードＴＡおよびディスプレイとして構成された表示装置ＡＶを有しているユーザインタフェースＢＳＳ、ＭＴ−記憶装置ＭＴ−Ｓ、ＭＴ−プロセッサとして構成された中央制御ユニットＭＴ−Ｐ、並びに移動局ＭＴ３とセットトップボックスＳＴＢの間で働く共通のＭＴ／ＳＴＢエアインタフェースＭＴ／ＳＴＢ−ＬＳＳであり、これらは図示のとおり互いに接続されている。
（ii）セットトップボックスＳＴＢについては、移動局ＭＴ３と共通のＭＴ／ＳＴＢエアインタフェースＭＴ／ＳＴＢ−ＬＳＳ、ＳＴＢ−プロセッサとして構成された中央制御ユニットＳＴＢ−Ｐ、テレビジョン装置ＦＡへの接続部を有するＡＳ／ＤＳインタフェースＡＳ／ＤＳ−ＳＳ、並びにＤＶＢ−Ｔ／Ｓ／Ｔ−ネットワークへの接続部ＤＶＢＮを有するＤＶＢインタフェースＤＶＢ−ＳＳであり、これらは図示のとおり互いに接続されている。
【０１０７】
全てのユニットないしコンポーネントに対して有効な、メッセージ流れ図の初期状態ＡＺにおいて、移動局ＭＴ３によって、特定のテレビジョン放送の開始が注意喚起される。このためにユーザインタフェースＢＳＳのキーボードＴＡによって制御コマンド「Ｘ放送局によるＹ日のテレビジョン番組」ＳＴＫがＭＴプロセッサＭＴ−Ｐへ伝送される。ＭＴプロセッサＭＴ−Ｐは、内部コミュニケーションコネクションをセットアップするために、セットアップメッセージ「内部コミュニケーションコネクション」ＡＵＭを、ＭＴ／ＳＴＢエアインタフェースＭＴ／ＳＴＢ−ＬＳＳを介してＳＴＢプロセッサＳＴＢ−Ｐへ伝送する。ＳＴＢプロセッサＳＴＢ−Ｐはこれに続いて、確認メッセージＢＭを、ＭＴ／ＳＴＢエアインタフェースＭＴ／ＳＴＢ−ＬＳＳを介して、ＭＴプロセッサＭＴ−Ｐへ返送する。これに続いて、ＭＴプロセッサＭＴ−Ｐから問い合わせメッセージ「Ｘ放送局によるＹ日のテレビジョン番組」ＡＦＭが、ＭＴ／ＳＴＢエアインタフェースＭＴ／ＳＴＢ−ＬＳＳを介してＳＴＢプロセッサＳＴＢ−Ｐへ伝達される。このインプット問い合わせメッセージＡＦＭに基づいて、ＳＴＢプロセッサＳＴＢ−Ｐ内で、評価「ビデオテキストまたは電子番組案内（ＥＰＧ）」ＡＷが行われる。ここではＤＶＢインタフェースＤＶＢ−ＳＳを介して、ＤＶＢ−Ｔ／Ｓ／Ｔ−ネットワークＤＶＢＮから受信されたビデオテキストまたはＥＰＧ信号情報ＶＴ／ＥＰＧ−ＳＩ（電子番組案内）が評価される。このような評価ＡＷが終了した後、ＳＴＢプロセッサＳＴＢ−Ｐによって、ここから応答メッセージＡＷＭが番組データＰＤとともにＭＴ／ＳＴＢエアインタフェースＳＴＢ−ＬＳＳを介してＭＴプロセッサＭＴ−Ｐへ送信される。ＭＴプロセッサＭＴ−Ｐから、受信された番組データＰＤがその後、ユーザインタフェースＢＳＳのディスプレイＡＶに与えられ、ここでこの番組データが表示される。その後、ユーザインタフェースＢＳＳのキーボードＴＡによって制御コマンド「テレビジョン放送Ｚ（例えばＡＲＤ−スポーツニュース）の開始に注意せよ」ＳＴＫがＭＴプロセッサＭＴ−Ｐへ送信される。ＭＴプロセッサＭＴ−Ｐは、これに続いて、問い合わせメッセージ「テレビジョン放送Ｚの開始に注意」ＡＦＭを、ＭＴ／ＳＴＢエアインタフェースＭＴ／ＳＴＢ−ＬＳＳを介してＳＴＢプロセッサＳＴＢ−Ｐへ送信する。この受信された問い合わせメッセージＡＦＭに基づいて、ＳＴＢプロセッサＳＴＢ−Ｐによって、ＤＶＢインタフェースＤＶＢ−ＳＳとともに、監視「テレビジョン放送Ｚの開始」
【０１０８】
【数１】
2007527133.tif 000003
が実行される。この監視
【０１０９】
【数２】
2007527133.tif 000004
の開始後、ＳＴＢプロセッサＳＴＢ−Ｐは応答メッセージ「注意要求の受け取り」ＡＷＭをＭＴ／ＳＴＢエアインタフェースＭＴ／ＳＴＢ−ＬＳＳを介してＭＴプロセッサＭＴ−Ｐへ送信する。この応答メッセージＡＷＭに基づいてその後、ＭＴプロセッサＭＴ−Ｐから、セットアップされた内部コミュニケーションコネクションをキャンセルするために、キャンセルメッセージ「内部コミュニケーションコネクション」ＡＢＭがＭＴ／ＳＴＢエアインタフェースＭＴ／ＳＴＢ−ＬＳＳを介してＳＴＢプロセッサＳＴＢへ伝送される。このＳＴＢプロセッサはキャンセルメッセージに、同じメッセージ経路上で反対方向で、別の確認メッセージＢＭを用いて応答する。これによって接続がキャンセルされる。
【０１１０】
これに続いて、ＳＴＢプロセッサＳＴＢ−Ｐによって、監視
【０１１１】
【数３】
2007527133.tif 000005
に基づいて確定「テレビジョン放送Ｚの開始」ＦＳＴが行われる。ＳＴＢプロセッサＳＴＢ−Ｐは、これに続いて内部コミュニケーションコネクションをセットアップするために、セットアップメッセージ「内部コミュニケーションコネクション」ＡＵＭをＭＴ／ＳＴＢエアインタフェースＭＴ／ＳＴＢ−ＬＳＳを介してＭＴプロセッサＭＴ−Ｐへ伝送する。ＭＴプロセッサＭＴ−Ｐは、これに続いて、確認メッセージＢＭをＭＴ／ＳＴＢエアインタフェースＭＴ／ＳＴＢ−ＬＳＳを介してＳＴＢプロセッサＳＴＢ−Ｐへ返送する。この受信された確認メッセージＢＭに基づいて、ＳＴＢプロセッサＳＴＢ−Ｐから、注意喚起メッセージ「テレビジョン放送Ｚの開始」ＥＭがＭＴ／ＳＴＢエアインタフェースＭＴ／ＳＴＢ−ＬＳＳを介して、ＭＴプロセッサＭＴ−Ｐへ伝送される。これに続いて、ＭＴプロセッサＭＴ−Ｐは、第１の表示情報「警告テキスト（例えばＡＲＤスポーツニュースが始まる）としてテレビジョン放送Ｚの開始」ＡＩ１を、ユーザインタフェースＢＳＳノディスプレイＡＶに出力する、および／または、第２の表示情報「警告音／警告メロディまたはテレビジョン放送Ｚのオーディオ信号（例えばＡＲＤスポーツニュースの予告）」ＡＩ２をユーザインタフェースＢＳＳのＥ／ＡコンバータＥ／Ａ−Ｗに出力する。各表示情報ＡＩ１，ＡＩ２は引き続き、ディスプレイＡＶおよび／またはＥ／ＡコンバータＥ／Ａ−Ｗに出力される。これに続いて、ユーザインタフェースＢＳＳのキーボードＴＡによって制御コマンド「注意喚起メッセージを取得せよ」ＳＴＫがＭＴプロセッサＭＴ−Ｐへ送信される。受信された制御コマンドＳＴＧの結果、ＭＴ−プロセッサＭＴ−Ｐから、セットアップされた内部コミュニケーションコネクションをキャンセルするために、キャンセルメッセージ「内部コミュニケーションコネクション」ＡＢＭがＭＴ／ＳＴＢエアインタフェースＭＴ／ＳＴＢ−ＬＳＳを介してＳＴＢプロセッサＳＴＢへ伝送される。このＳＴＢプロセッサはキャンセルメッセージに、同じメッセージ経路上で反対方向で、別の確認メッセージＢＭを用いて応答する。これによって接続がキャンセルされる。
【０１１２】
これに続く、全てのユニットないしコンポーネントに対して有効な、メッセージ流れ図の結果状態ＦＺにおいて、移動局ＭＴ３によって、テレビジョン放送Ｚの再開を介して、その後に、これがコマーシャルブレークによって中断される。コマーシャルブレークの終了後に注意喚起される。このために、ユーザインタフェースＢＳＳのキーボードＴＡによって制御コマンド「テレビジョン放送Ｚの再開に注意せよ」ＳＴＫがＭＴプロセッサＭＴ−Ｐへ伝送される。ＭＴプロセッサＭＴ−Ｐは、内部コミュニケーションコネクションをセットアップするために、セットアップメッセージ「内部コミュニケーションコネクション」ＡＵＭを、ＭＴ／ＳＴＢ−エアインタフェースＭＴ／ＳＴＢ−ＬＳＳを介してＳＴＢプロセッサＳＴＢ−Ｐへ伝送する。ＳＴＢプロセッサＳＴＢ−Ｐはこれに続いて、確認メッセージＢＭを、ＭＴ／ＳＴＢエアインタフェースＭＴ／ＳＴＢ−ＬＳＳを介して、ＭＴプロセッサＭＴ−Ｐへ返送する。これに続いて、ＭＴプロセッサＭＴ−Ｐから問い合わせメッセージ「テレビジョン放送Ｚの再開を注意喚起」ＡＦＭが、ＭＴ／ＳＴＢエアインタフェースＭＴ／ＳＴＢ−ＬＳＳを介してＳＴＢプロセッサＳＴＢ−Ｐへ伝達される。この受信された問い合わせメッセージＡＦＭに基づいて、ＳＴＢプロセッサＳＴＢ−Ｐによって、ＤＶＢインタフェースＤＶＢ−ＳＳとともに、監視「コマーシャルブレークの終了」
【０１１３】
【数４】
2007527133.tif 000006
が実行される。この監視
【０１１４】
【数５】
2007527133.tif 000007
の開始後、ＳＴＢプロセッサＳＴＢ−Ｐは応答メッセージ「注意喚起要求取得」ＡＷＭをＭＴ／ＳＴＢエアインタフェースＭＴ／ＳＴＢ−ＬＳＳを介してＭＴプロセッサＭＴ−Ｐへ送信する。この応答メッセージＡＷＭに基づいて、その後、ＭＴプロセッサＭＴ−Ｐから、セットアップされた内部コミュニケーションコネクションをキャンセルするために、キャンセルメッセージ「内部コミュニケーションコネクション」ＡＢＭがＭＴ／ＳＴＢエアインタフェースＭＴ／ＳＴＢ−ＬＳＳを介してＳＴＢプロセッサＳＴＢへ伝送される。このＳＴＢプロセッサはキャンセルメッセージに、同じメッセージ経路上で反対方向で、別の確認メッセージＢＭを用いて応答する。これによって接続がキャンセルされる。
【０１１５】
これに続いて、ＳＴＢプロセッサＳＴＢ−Ｐによって、監視
【０１１６】
【数６】
2007527133.tif 000008
に基づいて確定「コマーシャルブレークの終了」ＦＳＴが行われる。ＳＴＢプロセッサＳＴＢ−Ｐは、これに続いて内部コミュニケーションコネクションをセットアップするために、セットアップメッセージ「内部コミュニケーションコネクション」ＡＵＭをＭＴ／ＳＴＢエアインタフェースＭＴ／ＳＴＢ−ＬＳＳを介してＭＴプロセッサＭＴ−Ｐへ伝送する。ＭＴプロセッサＭＴ−Ｐはこれに続いて、確認メッセージＢＭをＭＴ／ＳＴＢエアインタフェースＭＴ／ＳＴＢ−ＬＳＳを介してＳＴＢプロセッサＳＴＢ−Ｐへ返送する。このような受信された確認メッセージＢＭに基づいて、ＳＴＢプロセッサＳＴＢ−Ｐから、注意喚起メッセージ「コマーシャルブレークの終了」ＥＭがＭＴ／ＳＴＢエアインタフェースＭＴ／ＳＴＢ−ＬＳＳを介して、ＭＴプロセッサＭＴ−Ｐへ伝送される。これに続いて、ＭＴプロセッサＭＴ−Ｐは、第１の表示情報「警告テキスト（たとえばＡＲＤスポーツニュース再開）としてテレビジョン放送Ｚの再開」ＡＩ１を、ユーザインタフェースＢＳＳのディスプレイＡＶに出力する、および／または、第２の表示情報「警告音／警告メロディまたはテレビジョン放送Ｚのオーディオ信号（たとえばスポーツニュースキャスターの音声）」ＡＩ２をユーザインタフェースＢＳＳのＥ／ＡコンバータＥ／Ａ−Ｗに出力する。各表示情報ＡＩ１、ＡＩ２は引き続き、ディスプレイＡＶおよび／またはＥ／ＡコンバータＥ／Ａ−Ｗに出力される。これに続いて、ユーザインタフェースＢＳＳのキーボードＴＡによって制御コマンド「注意喚起メッセージを取得せよ」ＳＴＫがＭＴプロセッサＭＴ−Ｐへ送信される。受信された制御コマンドＳＴＧの結果、ＭＴプロセッサＭＴ−Ｐから、セットアップされた内部コミュニケーションコネクションをキャンセルするために、キャンセルメッセージ「内部コミュニケーションコネクション」ＡＢＭがＭＴ／ＳＴＢエアインタフェースＭＴ／ＳＴＢ−ＬＳＳを介してＳＴＢプロセッサＳＴＢへ伝送される。このＳＴＢプロセッサはキャンセルメッセージに、同じメッセージ経路上で反対方向で、別の確認メッセージＢＭを用いて応答する。これによって接続がキャンセルされる。
【０１１７】
図１１ａ〜１１ｃには、第８の「スマートホーム」シナリオに従った第８のメッセージ流れ図が示されている。ここでは、図１〜図３に示された遠隔通信システムＴＫＳ１，ＴＫＳ２，ＴＫＳ３の、通信用送受話器ＴＫＨＡとして構成された第３の移動局ＭＴ３のユーザは、この移動局ＭＴ３を用いて、「遠隔投票」に参加する。このために必要なメッセージシーケンスは、図１１ａ〜１１ｃに従って、第３の移動局ＭＴ３と、この第３の移動局とエアインタフェースＬＳＳを介して接続されており、ＤＶＢ−Ｔ／Ｓ／ＣネットワークＤＶＢＮとの接続を有するセットトップボックスＳＴＢと、このセットトップボックスＳＴＢと接続されているテレビジョン装置ＦＡと、第３の移動局ＭＴ３とセットトップボックスＳＴＢと、エアインタフェースＬＳＳを介して接続されている基地局ＢＳの間を流れる。
【０１１８】
メッセージシーケンスを示すにあたり考慮されるユニットまたはコンポーネントは、以下の通りである：
（i）移動局ＭＴ３については、例えばキーボードＴＡおよびディスプレイとして構成されている表示装置ＡＶを有しているユーザインタフェースＢＳＳ、ＭＴ記憶装置ＭＴ−Ｓ、ＭＴプロセッサとして構成された中央制御ユニットＭＴ−Ｐ並びに移動局ＭＴ３とセットトップボックスＳＴＢと基地局ＢＳの間で働く、共通のＭＴ／ＢＳ／ＳＴＢエアインタフェースＭＴ／ＢＳ／ＳＴＢ−ＬＳＳであり、これらは図示のとおり互いに接続されている。
（ii）基地局ＢＳについては、移動局ＭＴ３とセットトップボックスＳＴＢと共通のＭＴ／ＢＳ／ＳＴＢエアインタフェースＭＴ／ＢＳ／ＳＴＢ−ＬＳＳ並びに回線およびネットワークインタフェースＬＮＡ、ＢＳプロセッサとして構成されている中央制御ユニットＢＳ−Ｐ並びにＢＳ記憶装置ＢＳ−Ｓから構成された機能ブロックであり、これらは図示のとおり互いに接続されている。
（iii）セットトップボックスＳＴＢについては、移動局ＭＴ３と基地局ＢＳと共通のＭＴ／ＢＳ／ＳＴＢエアインタフェースＭＴ／ＢＳ／ＳＴＢ−ＬＳＳ、ＳＴＢ−プロセッサとして構成された中央制御ユニットＳＴＢ−Ｐ、セットトップボックスＳＴＢとテレビジョン装置ＦＡの間で働く、共通のＡＤ／ＤＳインタフェースＡＤ／ＤＳ−ＳＳ並びにＤＶＢ−Ｔ／Ｓ／Ｃへの接続ＤＶＢＮを有するＤＶＢインタフェースＤＶＢ−ＳＳであり、これらは図示のとおり互いに接続されている。
（iｖ）テレビジョン装置ＦＡについては、セットトップボックスＳＴＢと共通のＡＳ／ＤＳインタフェースＡＳ／ＤＳ−ＳＳ、ＦＡプロセッサとして構成されている中央制御ユニットＦＡ−Ｐ並びにＦＡスクリーンＦＡ−Ｂであり、これらは図示のとおり互いに接続されている。
【０１１９】
全てのユニットないしコンポーネントに対して有効な、メッセージ流れ図の初期状態ＡＺにおいて、移動局ＭＴ３によって「テレビ投票」が実施される。このためにＳＴＢプロセッサＳＴＢ−ＰはＤＶＢインタフェースＤＶＢ−ＳＳを介してＤＶＢ−Ｔ／Ｓ／ＣネットワークＤＶＢＮから、ＤＶＢ信号「テレビ投票情報」ＤＶＢ−ＳＩを得る。これに続いてＳＴＢプロセッサＳＴＢ−ＰはＡＳ／ＤＳインタフェースＡＳ／ＤＳ−ＳＳ、ＦＡプロセッサＦＡ−Ｐを介して、表示情報「テレビ投票スクリーンキー」をＦＡスクリーンＦＡ−Ｂへ伝送し、内部コミュニケーションコネクションをセットアップするために、セットアップメッセージ「内部コミュニケーションコネクション」ＡＵＭを、ＭＴ／ＢＳ／ＳＴＢエアインタフェースＭＴ／ＢＳ／ＳＴＢ−ＬＳＳを介してＭＴプロセッサＭＴ−Ｐへ伝送する。ＭＴプロセッサＭＴ−Ｐはこれに続いて、確認メッセージＢＭを、ＭＴ／ＢＳ／ＳＴＢエアインタフェースＭＴ／ＢＳ／ＳＴＢ−ＬＳＳを介して、ＳＴＢプロセッサＳＴＢ−Ｐへ返送する。この確認メッセージＢＭに基づいて、ＳＴＢプロセッサはＭＴ／ＢＳ／ＳＴＢエアインタフェースＭＴ／ＢＳ／ＳＴＢ−ＬＳＳを介して、テレビ投票情報ＴＶＩとともに要求メッセージ「テレビ投票情報を表示」ＡＦＦＭをＭＴプロセッサＭＴ−Ｐへ伝送する。テレビ投票情報ＴＶＩとともにこの要求メッセージＡＦＦＭを得た後、ここから、表示情報「テレビ投票ディスプレイキー」がユーザインタフェースＢＳＳのディプレイＡＶへ送られ、ここでテレビ投票ディスプレイキーが示される。さらに、ＭＴプロセッサＭＴ−Ｐは、得られた要求メッセージＡＦＦＭに対する確認メッセージＢＭを、ＭＴ／ＢＳ／ＳＴＢエアインタフェースＭＴ／ＢＳ／ＳＴＢ−ＬＳＳを介してＳＴＢプロセッサＳＴＢ−Ｐへ送信する。その後、ユーザインタフェースＢＳＳのキーボードＴＡから、制御コマンド「テレビ投票判定を下せ」ＳＴＫがＭＴプロセッサＭＴ−Ｐへ伝送される。ＭＴプロセッサＭＴ−Ｐはこれに続いて、テレビ投票判定データＴＶＥＤとともに伝送メッセージ「テレビ投票判定データ」
【０１２０】
【数７】
2007527133.tif 000009
をＳＴＢプロセッサＳＴＢ−Ｐへ伝達する。この伝送メッセージ
【０１２１】
【数８】
2007527133.tif 000010
に基づいて、ＳＴＢプロセッサＳＴＢ−Ｐから、表示情報「テレビ投票判定を確認してください」ＡＩがＡＳ／ＤＳインタフェースＡＳ／ＤＳ−ＳＳおよびＦＡプロセッサＦＡ−Ｐを介してＦＡスクリーンＦＡ−Ｂへ伝送され、問い合わせメッセージ「テレビ投票判定の確認」ＡＦＭがＭＴ／ＢＳ／ＳＴＢエアインタフェースＭＴ／ＢＳ／ＳＴＢ−ＬＳＳを介して、ＭＴプロセッサＭＴ−Ｐへ伝送される。ＭＴプロセッサＭＴ−Ｐはこれに続いて表示情報「テレビ投票判定を確認してください」をユーザインタフェースＢＳＳのディスプレイＡＶへ出力し、ここでこの情報が表示される。引き続き、ユーザインタフェースＢＳＳのキーボードＴＡによって、制御コマンド「テレビ投票判定を確認せよ」ＳＴＫがＭＴプロセッサＭＴ−Ｐへ送信される。制御コマンドＳＴＫを得て、ＭＴプロセッサＭＴ−Ｐは確認データＢＳＤとともに応答メッセージ「確認データ」ＡＷＭをＭＴ／ＢＳ／ＳＴＢエアインタフェースＭＴ／ＢＳ／ＳＴＢ−ＬＳＳを介してＳＴＢプロセッサＳＴＢ−Ｐへ送信する。ＳＴＢプロセッサは、得られた確認データＢＳＤをＡＳ／ＤＳインタフェースＡＳ／ＤＳ−ＳＳおよびＦＡプロセッサＦＡ−Ｐを介してＦＡスクリーンＦＡ−Ｂへ送信する。その後、ＳＴＢプロセッサＳＴＢ−Ｐは外部コミュニケーションコネクションをセットアップするために、セットアップメッセージ「外部コミュニケーションコネクション」ＡＵＭを、ＭＴ／ＢＳ／ＳＴＢ−エアインタフェースＭＴ／ＢＳ／ＳＴＢ−ＬＳＳを介して、基地局ＢＳないしは、回線およびネットワークインタフェースＬＮＡ、ＢＳプロセッサＢＳ−ＰおよびＢＳ記憶装置ＢＳ−Ｓから構成されている機能ブロックへ伝送する。基地局ＢＳないしこの機能ブロックはこれに続いて、確認メッセージＢＭを、ＭＴ／ＢＳ／ＳＴＢエアインタフェースＭＴ／ＢＳ／ＳＴＢ−ＬＳＳを介して、ＳＴＢプロセッサＳＴＢ−Ｐへ返送する。この確認メッセージＢＭに基づいて、ＳＴＢプロセッサＳＴＢ−Ｐはテレビ投票判定データＴＶＥＤとともに伝送メッセージ「テレビ投票判定データ」をＭＴ／ＢＳ／ＳＴＢエアインタフェースＭＴ／ＢＳ／ＳＴＢ−ＬＳＳを介して基地局ＢＳないし機能ブロックへ伝送する。これに続いて、基地局ないし機能ブロックは別の確認メッセージＢＭを同じメッセージ経路上で、反対方向で、ＳＴＢプロセッサＳＴＢ−Ｐへ送信する。この確認メッセージＢＭに基づいて、ＳＴＢプロセッサＳＴＢ−Ｐによって、セットアップされた外部コミュニケーションコネクションをキャンセルするために、キャンセルメッセージ「外部コミュニケーションコネクション」ＡＢＭがＭＴ／ＢＳ／ＳＴＢエアインタフェースＭＴ／ＢＳ／ＳＴＢ−ＬＳＳを介して基地局ないし機能ブロックへ伝送される。基地局ないし機能ブロックは同じメッセージ路上で反対方向で、キャンセルメッセージに、別の確認メッセージＢＭで応答する。これによって接続がキャンセルされる。ＳＴＢプロセッサＳＴＢ−Ｂは引き続き、警告メッセージ「テレビ投票判定データを伝送してください」ＨＷＭをＭＴ／ＢＳ／ＳＴＢエアインタフェースＭＴ／ＢＳ／ＳＴＢ−ＬＳＳを介してＭＴプロセッサＭＴ−Ｐへ伝送する。これに続いてこれは表示情報「テレビ投票判定データが伝達されました」をユーザインタフェースＢＳＳのディスプレイＡＶへ伝送する。ここでこの情報が表示される。警告メッセージＨＷＭの伝送後、ＳＴＢプロセッサＳＴＢ−Ｐはセットアップされた内部コミュニケーションコネクションをキャンセルするために、キャンセルメッセージ「内部コミュニケーションコネクション」ＡＢＭをＭＴ／ＢＳ／ＳＴＢエアインタフェースＭＴ／ＢＳ／ＳＴＢ−ＬＳＳを介してＭＴプロセッサＭＴ−Ｐへ送信する。このＭＴプロセッサはキャンセルメッセージに、同じメッセージ経路上で反対方向で、別の確認メッセージを用いて応答する。これによってコネクションがキャンセルされる。
【図面の簡単な説明】
【０１２２】
【図１】「スマートホーム」環境におけるワイヤレスのコミュニケーションおよび遠隔通信のための第１の通信システムを示す図。
【図２】「スマートホーム」環境におけるワイヤレスのコミュニケーションおよび遠隔通信のための第２の通信システムを示す図。
【図３】「スマートホーム」環境におけるワイヤレスのコミュニケーションおよび遠隔通信のための第３の通信システムを示す図。
【図４】第１のメッセージ流れ図（message sequence chart）であって、これによれば図１〜図３に示した通信システムにおける移動局のユーザがその移動局を用いて、「スタンバイ」モードにあるパーソナルコンピュータをウェイクアップさせて起動させる（第１の「スマートホーム」シナリオ）。
【図５Ａ】第２のメッセージ流れ図（message sequence chart）であって、これによれば図１〜図３に示した通信システムにおける移動局のユーザがこの移動局において、基地局で終端させられたこのマルチメディアメッセージを表示させて処理し、さらに新たなマルチメディアメッセージを作成する（第２の「スマートホーム」シナリオ）。
【図５Ｂ】第２のメッセージ流れ図（message sequence chart）であって、これによれば図１〜図３に示した通信システムにおける移動局のユーザがこの移動局において、基地局で終端させられたこのマルチメディアメッセージを表示させて処理し、さらに新たなマルチメディアメッセージを作成する（第２の「スマートホーム」シナリオ）。
【図５Ｃ】第２のメッセージ流れ図（message sequence chart）であって、これによれば図１〜図３に示した通信システムにおける移動局のユーザがこの移動局において、基地局で終端させられたこのマルチメディアメッセージを表示させて処理し、さらに新たなマルチメディアメッセージを作成する（第２の「スマートホーム」シナリオ）。
【図６】第３のメッセージ流れ図（message sequence chart）であって、これによれば図１〜図３に示した通信システムにおける移動局のユーザがこの移動局を用いてマルチメディアメッセージを受信し、つまりこの移動局においてそれを終端させて表示する（第３の「スマートホーム」シナリオ）。
【図７Ａ】第４のメッセージ流れ図（message sequence chart）であって、これによれば図１〜図３に示した通信システムにおける移動局のユーザがマルチメディアメッセージを他の移動局へ伝送する（第４の「スマートホーム」シナリオ）。
【図７Ｂ】第４のメッセージ流れ図（message sequence chart）であって、これによれば図１〜図３に示した通信システムにおける移動局のユーザがマルチメディアメッセージを他の移動局へ伝送する（第４の「スマートホーム」シナリオ）。
【図８Ａ】第５のメッセージ流れ図（message sequence chart）であって、これによれば図１〜図３に示した通信システムにおける移動局のユーザが、パーソナルコンピュータに格納されているビデオ映画をテレビジョン装置において見る（第５の「スマートホーム」シナリオ）。
【図８Ｂ】第５のメッセージ流れ図（message sequence chart）であって、これによれば図１〜図３に示した通信システムにおける移動局のユーザが、パーソナルコンピュータに格納されているビデオ映画をテレビジョン装置において見る（第５の「スマートホーム」シナリオ）。
【図８Ｃ】第５のメッセージ流れ図（message sequence chart）であって、これによれば図１〜図３に示した通信システムにおける移動局のユーザが、パーソナルコンピュータに格納されているビデオ映画をテレビジョン装置において見る（第５の「スマートホーム」シナリオ）。
【図８Ｄ】第５のメッセージ流れ図（message sequence chart）であって、これによれば図１〜図３に示した通信システムにおける移動局のユーザが、パーソナルコンピュータに格納されているビデオ映画をテレビジョン装置において見る（第５の「スマートホーム」シナリオ）。
【図９Ａ】第６のメッセージ流れ図（message sequence chart）であって、これによれば図１〜図３に示した通信システムにおける移動局のユーザが、パーソナルコンピュータに格納されているＭＰ３ファイルをハイファイ装置において出力する（第６の「スマートホーム」シナリオ）。
【図９Ｂ】第６のメッセージ流れ図（message sequence chart）であって、これによれば図１〜図３に示した通信システムにおける移動局のユーザが、パーソナルコンピュータに格納されているＭＰ３ファイルをハイファイ装置において出力する（第６の「スマートホーム」シナリオ）。
【図９Ｃ】第６のメッセージ流れ図（message sequence chart）であって、これによれば図１〜図３に示した通信システムにおける移動局のユーザが、パーソナルコンピュータに格納されているＭＰ３ファイルをハイファイ装置において出力する（第６の「スマートホーム」シナリオ）。
【図９Ｄ】第６のメッセージ流れ図（message sequence chart）であって、これによれば図１〜図３に示した通信システムにおける移動局のユーザが、パーソナルコンピュータに格納されているＭＰ３ファイルをハイファイ装置において出力する（第６の「スマートホーム」シナリオ）。
【図１０Ａ】図第７のメッセージ流れ図（message sequence chart）であって、これによれば図１〜図３に示した通信システムにおける移動局のユーザがその移動局により、テレビジョン放送の開始およびそのコマーシャルブレークによるその放送の中断に関して通知される。
【図１０Ｂ】図第７のメッセージ流れ図（message sequence chart）であって、これによれば図１〜図３に示した通信システムにおける移動局のユーザがその移動局により、テレビジョン放送の開始およびそのコマーシャルブレークによるその放送の中断に関して通知される。
【図１０Ｃ】図第７のメッセージ流れ図（message sequence chart）であって、これによれば図１〜図３に示した通信システムにおける移動局のユーザがその移動局により、テレビジョン放送の開始およびそのコマーシャルブレークによるその放送の中断に関して通知される。
【図１１Ａ】図第８のメッセージ流れ図（message sequence chart）であって、これによれば図１〜図３に示した通信システムにおける移動局のユーザがその移動局を用いて「遠隔投票 televoting」に参加する（第８の「スマートホーム」シナリオ）。
【図１１Ｂ】図第８のメッセージ流れ図（message sequence chart）であって、これによれば図１〜図３に示した通信システムにおける移動局のユーザがその移動局を用いて「遠隔投票 televoting」に参加する（第８の「スマートホーム」シナリオ）。
【図１１Ｃ】図第８のメッセージ流れ図（message sequence chart）であって、これによれば図１〜図３に示した通信システムにおける移動局のユーザがその移動局を用いて「遠隔投票 televoting」に参加する（第８の「スマートホーム」シナリオ）。
【図１】
2007527133.tif 000011
【図２】
2007527133.tif 000012
【図３】
2007527133.tif 000013
【図４】
2007527133.tif 000014
【図５Ａ】
2007527133.tif 000015
【図５Ｂ】
2007527133.tif 000016
【図５Ｃ】
2007527133.tif 000017
【図６】
2007527133.tif 000018
【図７Ａ】
2007527133.tif 000019
【図７Ｂ】
2007527133.tif 000020
【図８Ａ】
2007527133.tif 000021
【図８Ｂ】
2007527133.tif 000022
【図８Ｃ】
2007527133.tif 000023
【図８Ｄ】
2007527133.tif 000024
【図９Ａ】
2007527133.tif 000025
【図９Ｂ】
2007527133.tif 000026
【図９Ｃ】
2007527133.tif 000027
【図９Ｄ】
2007527133.tif 000028
【図１０Ａ】
2007527133.tif 000029
【図１０Ｂ】
2007527133.tif 000030
【図１０Ｃ】
2007527133.tif 000031
【図１１Ａ】
2007527133.tif 000032
【図１１Ｂ】
2007527133.tif 000033
【図１１Ｃ】
2007527133.tif 000034
【国際調査報告】
2007527133.tif 000035
2007527133.tif 000036
2007527133.tif 000037
2007527133.tif 000038
2007527133.tif 000039
2007527133.tif 000040